(57)【要約】  肯定応答チャネルが誤って受信されたフレームを再送するために使用される例が開示される。受信機は、フレームが同じフレームの最後のパイロット制御グループ（ＰＣＧ）の受信に続いて復号されるとき、フレームのための肯定応答を送信するように構成される。送信機は、後のフレームの間に先のフレームの肯定応答を受信し、その先のフレームを再送しないように構成される。その２つのフレームは隣接し得る。接続セットアップネゴシエーションの間システムは、受信機が後のフレームの正常な復号を肯定応答するために許容された期間を定義するａｃｋ＿ｍａｓｋ１、及び受信機が先のフレームの正常な復号を肯定応答するために許容された期間を定義するａｃｋ＿ｍａｓｋ２の値を決定することができる。２つのマスクの値は重複しない許容された期間を提供し、よって受信機は、後のフレーム内で（１）先のフレームの正常な復号、及び後のフレームの正常な復号を肯定応答し得る。
2013524690.tif 000002
【特許請求の範囲】
【請求項１】
ワイヤレス通信方法であって、
自動再送要求（ＡＲＱ）を使用して送信機から受信機へ先のフレームを送信することと、
前記受信機が、前記先のフレームの最後のスロットの前記受信機による受信の前に正常に受信したと前記先のフレームを肯定応答しているかどうかを前記送信機で判断することと、
前記受信機が、前記先のフレームの前記最後のスロットの受信の前に前記受信機によって正常に受信されたとの前記先のフレームの肯定応答がないことに応じて、前記先のフレームの前記最後のスロットの前記受信機による受信の後に正常に受信したと前記先のフレームを肯定応答しているかどうかを前記送信機で判断することと
のステップを備えるワイヤレス通信方法。
【請求項２】
前記受信機が、前記先のフレームの前記最後のスロットの前記受信機による前記受信の結果として正常に受信されたと前記先のフレームを肯定応答しているという前記送信機での判断に応じて先のパケットの再送をキャンセルすることと、
前記受信機が前記先のフレームを正常に受信していないという前記送信機での判断に応じて前記先のパケットの再送をスケジューリングすることと
をさらに備える請求項１に記載のワイヤレス通信方法。
【請求項３】
前記受信機が、前記先のフレームの前記最後のスロットの前記受信機による前記受信の結果として正常に受信されたと前記先のフレームを肯定応答しているという前記送信機での判断に応じて先のパケットの再送を防ぐこと、
をさらに備える請求項１に記載のワイヤレス通信方法。
【請求項４】
前記受信機が、前記先のフレームの前記最後のスロットの前記受信機による前記受信の結果として正常に受信されたと前記先のフレームを肯定応答しているという前記送信機での前記判断に応じて、前記受信機が正常に前記先のフレームを受信していることを前記送信機の上位レイヤにシグナリングすること、をさらに備える請求項３に記載のワイヤレス通信方法。
【請求項５】
ＡＲＱを使用して前記送信機から前記受信機へ後のフレームを送信することと、
ＡＲＱ肯定応答パラメータをネゴシエートすることと
をさらに備え、
前記先のフレーム及び前記後のフレームの両方の正常な受信の肯定応答が前記後のフレームの受信に対応する位置においてなされ得るように、前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの前記受信機による受信に対応し、前記後のフレームが時間において前記先のフレームに続き、前記肯定応答位置の１つまたは複数が前記先のフレームの正常な受信を肯定応答するために確保される前記後のフレームの受信に対応し、前記肯定応答位置の１つまたは複数が前記後のフレームの正常な受信を肯定応答するために確保される前記後のフレームの受信に対応し、それぞれのフレームは複数のＮ個のスロットを備え、Ｎ個は予め決められた数である請求項４に記載のワイヤレス通信方法。
【請求項６】
ＡＲＱを使用して前記送信機から前記受信機へ後のフレームを送信すること、
をさらに備え、
前記後のフレームは前記先のフレームに直ちに続く請求項１に記載のワイヤレス通信方法。
【請求項７】
前記受信機が、前記先のフレームの前記最後のスロットの前記受信機による前記受信の結果として正常に受信されたと前記先のフレームを肯定応答しているという前記送信機での前記判断に応じて、前記受信機が正常に前記先のフレームを受信していることを前記送信機の無線リンクプロトコル（ＲＬＰ）レイヤにシグナリングすること
をさらに備える請求項１に記載のワイヤレス通信方法。
【請求項８】
ＡＲＱを使用して前記送信機から前記受信機へ後のフレームを送信することと、
肯定応答チャネルの肯定応答位置が利用可能なことを指し示すＡＲＱ肯定応答パラメータをネゴシエートすることと
をさらに備え、
前記ＡＲＱ肯定応答パラメータは前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならない請求項１に記載のワイヤレス通信方法。
【請求項９】
ＡＲＱを使用して前記送信機から前記受信機へ後のフレームを送信すること
をさらに備え、
前記先のフレームと前記後のフレームの少なくとも１つのフレームが音声情報もしくは映像情報を搬送する請求項１に記載のワイヤレス通信方法。
【請求項１０】
前記方法は移動局で実行され、前記音声もしくは映像情報をレンダリングすることをさらに備える請求項１に記載のワイヤレス通信方法。
【請求項１１】
ワイヤレス通信装置であって、
データをワイヤレスデバイスへ送信するように構成された送信機と、
データを前記ワイヤレスデバイスから受信するように構成された受信機と、
前記送信機及び前記受信機に結合されたプロセッサと
を備え、
前記装置が、
自動再送要求（ＡＲＱ）を使用して前記ワイヤレス通信装置から前記ワイヤレスデバイスへ先のフレームを送信するように、
前記ワイヤレスデバイスが、前記先のフレームの最後のスロットの前記ワイヤレスデバイスによる受信の前に正常に受信されたと前記先のフレームを肯定応答しているかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答しているかどうかを前記ワイヤレス通信装置で判断するように
構成されるワイヤレス通信装置。
【請求項１２】
前記装置は、
前記ワイヤレスデバイスが、前記先のフレームの前記最後のスロットの前記ワイヤレスデバイスによる前記受信の結果として正常に受信されたと前記先のフレームを肯定応答しているという前記ワイヤレス通信装置での判断に応じて先のパケットの再送を防ぐように、
前記ワイヤレスデバイスが前記先のフレームを正常に受信していないという判断に応じて前記先のパケットの再送をスケジューリングするように
さらに構成された請求項１１に記載のワイヤレス通信装置。
【請求項１３】
前記プロセッサが、前記ワイヤレスデバイスが、前記先のフレームの前記最後のスロットの前記ワイヤレスデバイスによる前記受信の結果として正常に受信されたと前記先のフレームを肯定応答しているという前記判断に応じて、前記ワイヤレスデバイスが前記先のフレームを正常に受信していることを前記ワイヤレス通信装置の上位レイヤにシグナリングすることを実行するようにさらに構成された請求項１２に記載のワイヤレス通信装置。
【請求項１４】
前記装置は、
ＡＲＱを使用して前記ワイヤレス通信装置から前記ワイヤレスデバイスへ後のフレームを送信するように、
ＡＲＱ肯定応答パラメータを前記ワイヤレスデバイスとネゴシエートするように
をさらに構成され、
前記ワイヤレスデバイスが前記先のフレーム及び前記後のフレームの両方の正常な受信を、前記後のフレームの受信に対応する位置において肯定応答し得るように、前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの前記ワイヤレスデバイスによる受信に対応し、前記後のフレームが時間において前記先のフレームに続き、前記肯定応答位置の１つまたは複数が前記先のフレームの正常な受信を肯定応答するために確保される前記後のフレームの前記ワイヤレスデバイスによる受信に対応し、前記肯定応答位置の１つまたは複数が前記後のフレームの正常な受信を肯定応答するために確保される前記後のフレームの前記ワイヤレスデバイスによる受信に対応し、それぞれのフレームは複数のＮ個のスロットを備え、Ｎ個は予め決められた数である請求項１３に記載のワイヤレス通信装置。
【請求項１５】
前記装置はＡＲＱを使用して前記ワイヤレス通信装置から前記ワイヤレスデバイスへ後のフレームを送信するようにさらに構成され、前記後のフレームは前記先のフレームに直ちに続く請求項１１に記載のワイヤレス通信装置。
【請求項１６】
前記プロセッサが、前記ワイヤレスデバイスが前記先のフレームの最後のスロットの前記ワイヤレスデバイスによる前記受信の結果として正常に受信されたと前記先のフレームを肯定応答しているという前記判断に応じて、前記ワイヤレスデバイスが正常に前記先のフレームを受信していることを前記ワイヤレス通信装置の無線リンクプロトコル（ＲＬＰ）レイヤにシグナリングするようにさらに構成された請求項１１に記載のワイヤレス通信装置。
【請求項１７】
それぞれのフレームは１６個のスロットを備える請求項１１に記載のワイヤレス通信装置。
【請求項１８】
前記装置が、
ＡＲＱを使用して前記ワイヤレス通信装置から前記ワイヤレスデバイスへ後のフレームを送信するように、
ＡＲＱ肯定応答パラメータをネゴシエートするように
さらに構成され、
前記ＡＲＱ肯定応答パラメータは前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならない請求項１１に記載のワイヤレス通信装置。
【請求項１９】
前記先のフレーム及び前記後のフレームの少なくとも１つのフレームが音声情報もしくは映像情報を搬送する請求項１１に記載のワイヤレス通信装置。
【請求項２０】
前記装置が前記音声もしくは映像情報をレンダリングするようにさらに構成される請求項１９に記載のワイヤレス通信装置。
【請求項２１】
自動再送要求（ＡＲＱ）を使用して送信機から送信された先のフレームを受信機によって受信することと、
前記先のフレームが前記先のフレームの最後のスロットの前記受信機による受信の前に正常に受信されたかどうかを前記受信機で判断することと、
前記受信機が（１）前記先のフレームの前記最後のスロットの前記受信機による受信の前に前記先のフレームを正常に受信しないこと、及び（２）前記先のフレームの前記最後のスロットの前記受信機による受信の後に前記先のフレームを正常に受信すること、に応じて、前記受信機から前記送信機に前記先のフレームの肯定応答を送信することと
のステップを備えるワイヤレス通信方法。
【請求項２２】
ＡＲＱを使用して前記送信機から送信された後のフレームを受信することと、
ＡＲＱ肯定応答パラメータを前記送信機とネゴシエートすることと
をさらに備え、
前記受信機が、前記先のフレーム及び前記後のフレームの両方の正常な受信を、前記後のフレームの受信に対応する位置において肯定応答し得るように、前記ＡＲＱ肯定応答パラメータは肯定応答チャネルの肯定応答位置が利用可能なことを指し示し、それぞれの肯定応答位置は前記先のフレームの正常な受信を肯定応答するために、もしくは前記後のフレームの正常な受信を肯定応答するために確保される前記後のフレームの前記受信機による受信に対応し、前記後のフレームが時間において前記先のフレームに続き、前記肯定応答位置の１つまたは複数が前記先のフレームの正常な受信を肯定応答するために確保される前記後のフレームの前記受信機による受信に対応し、前記肯定応答位置の１つまたは複数は前記後のフレームの正常な受信を肯定応答するために確保される前記後のフレームの前記受信機による受信に対応し、それぞれのフレームは複数のＮ個のスロットを備え、Ｎ個は予め決められた数である請求項２１に記載のワイヤレス通信方法。
【請求項２３】
ＡＲＱを使用して前記送信機から送信された後のフレームを受信すること
をさらに備え、
前記後のフレームは前記先のフレームに直ちに続く請求項２１に記載のワイヤレス通信方法。
【請求項２４】
それぞれのフレームは１６個のスロットを備える請求項２１に記載のワイヤレス通信方法。
【請求項２５】
ＡＲＱを使用して前記送信機から送信された後のフレームを受信することと、
ＡＲＱ肯定応答パラメータをネゴシエートすることと
をさらに備え、
前記ＡＲＱ肯定応答パラメータは、前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならない請求項２１に記載のワイヤレス通信方法。
【請求項２６】
ＡＲＱを使用して送信された後のフレームを受信することをさらに備え、
前記先のフレーム及び前記後のフレームの少なくとも１つのフレームが音声情報もしくは映像情報を搬送する請求項２１に記載のワイヤレス通信方法。
【請求項２７】
前記音声もしくは映像情報を前記受信機によってレンダリングすることをさらに備え、前記受信機は移動局であり、前記送信機はトランシーバ基地局である請求項２６に記載のワイヤレス通信方法。
【請求項２８】
ワイヤレス通信装置であって、
データをワイヤレスデバイスに送信するように構成された送信機と、
データを前記ワイヤレスデバイスから受信するように構成された受信機と、
前記送信機及び前記受信機に結合されたプロセッサと
を備え、
前記装置が、
自動再送要求（ＡＲＱ）を使用して前記ワイヤレスデバイスから送信された先のフレームを受信するように、
前記先のフレームが前記先のフレームの最後のスロットの受信の前に正常に受信されたかどうかを判断するように
（１）前記先のフレームの前記最後のスロットの受信の前に前記先のフレームを正常に受信しないこと、及び（２）前記先のフレームの前記最後のスロットの受信の後に前記先のフレームを正常に受信すること、に応じて、前記ワイヤレスデバイスに前記先のフレームの肯定応答を送信するように
構成されるワイヤレス通信装置。
【請求項２９】
前記装置は、
ＡＲＱを使用して前記ワイヤレスデバイスから送信された後のフレームを受信するように、
ＡＲＱ肯定応答パラメータを前記ワイヤレスデバイスとネゴシエートするように
さらに構成され、
前記ワイヤレス通信装置が、前記先のフレーム及び前記後のフレームの両方の正常な受信を、前記後のフレームの受信に対応する位置において肯定応答し得るように、前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの受信に対応し、前記後のフレームが時間において前記先のフレームに続き、前記肯定応答位置の１つまたは複数は前記先のフレームの正常な受信を肯定応答するために確保される前記後のフレームの前記ワイヤレス通信装置による受信に対応し、前記肯定応答位置の１つまたは複数は前記後のフレームの正常な受信を肯定応答するために確保される前記後のフレームの前記ワイヤレス通信装置による受信に対応し、それぞれのフレームは複数のＮ個のスロットを備え、Ｎ個は予め決められた数である請求項２８に記載のワイヤレス通信装置。
【請求項３０】
前記装置はＡＲＱを使用して前記ワイヤレスデバイスから送信された後のフレームを受信するようにされに構成され、前記後のフレームは前記先のフレームに直ちに続く請求項２８に記載のワイヤレス通信装置。
【請求項３１】
それぞれのフレームは１６個のスロットを備える請求項２８に記載のワイヤレス通信装置。
【請求項３２】
前記受信機、前記装置が、
ＡＲＱを使用して前記ワイヤレスデバイスから送信された後のフレームを受信するように、
ＡＲＱ肯定応答パラメータを前記ワイヤレスデバイスとネゴシエートするように
さらに構成され、
前記ＡＲＱ肯定応答パラメータは、前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならない請求項２８に記載のワイヤレス通信装置。
【請求項３３】
前記装置がＡＲＱを使用して前記ワイヤレスデバイスから送信された後のフレームを受信するようにさらに構成され、
前記先のフレーム及び前記後のフレームの少なくとも１つのフレームが音声情報もしくは映像情報を搬送する請求項２８に記載のワイヤレス通信装置。
【請求項３４】
前記装置は、前記音声もしくは映像情報をレンダリングするようにさらに構成され、前記ワイヤレス通信装置は移動局であり、前記ワイヤレスデバイスはトランシーバ基地局である、請求項３３に記載のワイヤレス通信装置。
【請求項３５】
少なくとも１つの機械読み取り可能メモリを備える製造品であって、前記メモリは機械実行可能コードを格納し、前記機械実行可能コードは、
自動再送要求（ＡＲＱ）を使用して送信機から受信機へ先のフレームを送信することと、
前記受信機が、前記先のフレームの最後のスロットの前記受信機による受信の前に正常に受信されたと前記先のフレームを肯定応答しているかどうかを前記送信機で判断することと、
前記受信機が、前記先のフレームの前記最後のスロットの受信の前に前記受信機によって正常に受信されたとの前記先のフレームの肯定応答がないことに応じて、前記先のフレームの前記最後のスロットの前記受信機による受信の後に正常に受信されたと前記先のフレームを肯定応答しているかどうかを前記送信機で判断することと
を備えるステップを実行するための命令を備える、製造品。
【請求項３６】
少なくとも１つの機械読み取り可能メモリを備える製造品であって、前記メモリは機械実行可能コードを格納し、前記機械実行可能コードは、
自動再送要求（ＡＲＱ）を使用して送信機から送信された先のフレームを受信機によって受信することと、
前記先のフレームが前記先のフレームの最後のスロットの前記受信機による受信の前に前記先のフレームが正常に受信されたかどうかを前記受信機で判断することと、
前記受信機が（１）前記先のフレームの前記最後のスロットの前記受信機による受信の前に前記先のフレームを正常に受信しないこと、及び（２）前記先のフレームの前記最後のスロットの前記受信機による受信の後に前記先のフレームを正常に受信すること、に応じて、前記受信機から前記送信機へ前記先のフレームの肯定応答を送信することと
を備えるステップを実行するための命令を備える製造品。
【請求項３７】
ワイヤレス通信装置であって、
データをワイヤレスデバイスに送信するための手段と、
データを前記ワイヤレスデバイスから受信するための手段と、
送信するための前記手段及び受信するための前記手段に結合された処理するための手段と
を備え、
受信するための前記手段、送信するための前記手段、及び処理するための前記手段は、
自動再送要求（ＡＲＱ）を使用して前記ワイヤレス通信装置から前記ワイヤレスデバイスへ先のフレームを送信することと、
前記ワイヤレスデバイスが、前記先のフレームの最後のスロットの前記ワイヤレスデバイスによる受信の前に正常に受信されたと前記先のフレームを肯定応答しているかどうかを判断することと、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答しているかどうかを前記ワイヤレス通信装置で判断することと
を備えるステップを実行するように構成されるワイヤレス通信装置。
【請求項３８】
ワイヤレス通信装置であって、
データをワイヤレスデバイスに送信するための手段と、
データを前記ワイヤレスデバイスから受信するための手段と、
送信するための前記手段及び受信するための前記手段に結合された処理するための手段と
を備え、
前記装置が、
自動再送要求（ＡＲＱ）を使用して前記ワイヤレスデバイスから送信された先のフレームを前記ワイヤレス通信装置によって受信するように、
前記先のフレームが、前記先のフレームの最後のスロットの前記ワイヤレス通信装置による受信の前に正常に受信されたかどうかを前記ワイヤレス通信装置で判断するように、
前記ワイヤレス通信装置が（１）前記先のフレームの前記最後のスロットの前記ワイヤレス通信装置による受信の前に前記先のフレームを正常に受信しないこと、及び（２）前記先のフレームの前記最後のスロットの前記ワイヤレス通信装置による受信の後に前記先のフレームを正常に受信すること、に応じて、前記ワイヤレス通信装置から前記ワイヤレスデバイスへ前記先のフレームの肯定応答を送信するように
構成されるワイヤレス通信装置。
【請求項３９】
ワイヤレス通信装置であって、
送信機及び受信機に結合された少なくとも１つのプロセッサを備え、前記プロセッサが、
自動再送要求（ＡＲＱ）を使用して前記ワイヤレス通信装置から前記ワイヤレスデバイスへ先のフレームを送信するように、
前記ワイヤレスデバイスが、前記先のフレームの最後のスロットの前記ワイヤレスデバイスによる受信の前に正常に受信されたと前記先のフレームを肯定応答しているかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答しているかどうかを前記ワイヤレス通信装置で判断するように
構成されるワイヤレス通信装置。
【請求項４０】
ワイヤレス通信装置であって、
送信機及び受信機に結合された少なくとも１つのプロセッサを備え、前記プロセッサが、
自動再送要求（ＡＲＱ）を使用して前記ワイヤレスデバイスから送信された先のフレームを前記ワイヤレス通信装置によって受信するように、
前記先のフレームが、前記先のフレームの最後のスロットの前記ワイヤレス通信装置による受信の前に正常に受信されたかどうかを前記ワイヤレス通信装置で判断するように、
前記ワイヤレス通信装置が（１）前記先のフレームの前記最後のスロットの前記ワイヤレス通信装置による受信の前に前記先のフレームを正常に受信しないこと、及び（２）前記先のフレームの前記最後のスロットの前記ワイヤレス通信装置による受信の後に前記先のフレームを正常に受信すること、に応じて、前記ワイヤレス通信装置から前記ワイヤレスデバイスへ前記先のフレームの肯定応答を送信するように
構成されるワイヤレス通信装置。
【請求項４１】
ワイヤレス通信装置であって、
自動再送要求（ＡＲＱ）を使用して送信機から受信機へ第１のフレーム及び第２のフレームを送信することと、前記第２のフレームは時間において前記第１のフレームに直ちに続き、
（１）前記受信機が前記第１のフレームの時間において最後のスロット以外の前記第１のフレームの全てのスロットから前記第１のフレームを復号することができないこと、及び（２）前記受信機が前記第１のフレームの前記時間において前記最後のスロットを受信した結果として前記第１のフレームを肯定応答すること、の両方に応じて、前記第２のフレームのスロットの前記受信機による受信の間、前記第１のフレームの再送を防ぐことと
を備えるワイヤレス通信方法。
【発明の詳細な説明】
【関連出願】
【０００１】
本出願は、参照により全体として本明細書に組み込まれる、２０１０年４月６日に出願され、ＤＥＬＡＹＥＤ  ＡＵＴＯＭＡＴＩＣ  ＲＥＰＥＡＴ  ＲＥＱＵＥＳＴ（ＡＲＱ）ＡＣＫＮＯＷＬＥＤＧＭＥＮＴという名称の米国特許仮出願第６１／３２１、４６９号の優先権を主張する。
【技術分野】
【０００２】
本発明は自動再送要求（ＡＲＱ）の方法を使用する通信に関連する。
【背景技術】
【０００３】
ワイヤレス通信システムは、音声、パケットデータなどのような、様々なタイプの通信を提供するために広く展開されている。これらのシステムは符号分割多元接続（ＣＤＭＡ）、時分割多元接続（ＴＤＭＡ）、周波数分割多元接続（ＦＤＭＡ）、もしくは他の多元接続技法に基づき得る。そのようなシステムは第３世代パートナーシッププロジェクト２（３ｇｐｐ２、もしくは「ｃｄｍａ２０００」）、第３世代パートナーシップ（３ｇｐｐ、もしくは「Ｗ−ＣＤＭＡ」）、もしくはロングタームエボリューション（ＬＴＥ）のような標準規格に一致し得る。そのような通信システムの設計において、利用可能なリソースが与えられたときに、システムが確実にサポートできるユーザの数、もしくは容量を最大化することが望ましい。
【０００４】
ｃｄｍａ２０００１ｘシステムにおいて、補助チャネル(Supplemental Channel)は通常、５から２０パーセントの間のフレームエラーレート（ＦＥＲ）で動作される。高いエラーレートはカバレッジ及び／もしくはシステム容量を増加させるために有益である。比較的高いＦＥＲを補うために、複数のラウンドの再送が無線リンクプロトコルで使用され得る。再送のそれぞれのラウンドは、順に複数の再送を含み得る。そのようなシステム構成はトランスポートレイヤでのより大きな平均レイテンシ（ｌａｔｅｎｃｙ）に繋がり、そしてそれは劣ったアプリケーションレイヤパフォーマンスになり得る。さらには搬送時間(delivery time)における相違(variance)は、ＴＣＰのタイムアウトを引き起こし得、ＴＣＰウィンドウ量のデータの無線上での再送に繋がる。
【０００５】
本特許出願の装置、方法、及び製造品は従来技術の制限を克服すること、及び受信したフレームの改良された自動再送要求（ＡＲＱ）の肯定応答(acknowledgement)を提供することを対象としている。
【発明の概要】
【０００６】
説明される特徴は概して、ＡＲＱを使用する送信されたフレームの遅延した肯定応答のための、１つまたは複数の改良されたシステム、方法、装置及び／もしくは機械読み取り可能で非トランジトリな記憶手段に関する。
【０００７】
本明細書で開示される選択された例は誤って受信したフレームの再送のために、ｃｄｍａ２０００１ｘ通信システムの肯定応答チャネルが使用される装置、方法、及び／もしくは製造品を説明する。例としてシステムの受信機は、フレームが同じフレームの最後の（例えば、１５番目の）パイロット制御グループ（ＰＣＧ）の受信に続いて復号されるとき、そのフレームのための肯定応答を送信するように構成される。送信機は、後のフレームにおいて先のフレームの肯定応答を受信するように構成され、ならびに、（１）先のフレームの再送のスケジューリングを途中停止し、（２）先のフレームのいずれの以前にスケジューリングされた再送も途中停止し、ならびに／あるいは（３）先のフレームが受信機で受信され、正常に復号されたことを上位の通信レイヤにシグナリングするように構成される。送信機はまた、後のフレームの予め決められた部分の間に受信機からの先のフレームの肯定応答を受信しないことに応じてのみ先のフレームの再送をスケジューリングするように構成され得る。後のフレームは先のフレームに直ちに続き得る。例えば、接続セットアップネゴシエーションの間システムは、受信機が後のフレームの適当な受信（正常な復号）を肯定応答するために許容された期間を定義する、ａｃｋ＿ｍａｓｋ１、及び受信機が先のフレームの適当な受信（正常な復号）を肯定応答するために許容された期間を定義する、ａｃｋ＿ｍａｓｋ２の値を決定することができる。２つのマスクの値は重複しない許容された期間を提供し、よって受信機は、後のフレーム内で（受信の間に）（１）先のフレームの正常な復号、及び（２）後のフレームの正常な復号を肯定応答し得る。従って、遅延したＡＲＱのメカニズムは、ｃｄｍａ２０００１ｘシステムのアップリンク上及びダウンリンク上の両方もしくはどちらかで提供され得る。
【０００８】
遅延したＡＲＱのメカニズムはｃｄｍａ２０００１ｘ補助チャネルがリンクレイヤでより小さなパフォーマンスの劣化を伴うより高いＦＥＲで動作することを許容し得る。より高いＦＥＲ動作は、システム容量及びカバレッジの増幅、無線リンクプロトコル（ＲＬＰ）及び伝送制御プロトコル（ＴＣＰ）のようなより高位のレイヤでの不必要な再送の減少、及びエアインタフェース及びシステムの効率の全体的な増加を提供し得る。
【０００９】
ある実施例において、ワイヤレス通信方法は以下のようなステップを含む。
【００１０】
（１）自動再送要求（ＡＲＱ）を使用して送信機から受信機への先のフレームを送信すること、（２）先のフレームの最後のスロットの受信機による受信の前に、受信機が正常に受信されたと先のフレームを肯定応答しているかどうかを送信機で判断すること、（３）先のフレームの最後のスロットの受信の前に受信機により正常に受信されたとの先のフレームの肯定応答がないことに応じて、先のフレームの最後のスロットの受信機による受信の結果として受信機が、正常に受信されたと先のフレームを肯定応答しているかどうかを送信機で判断すること。
【００１１】
ある実施例において、ワイヤレス通信装置はデータをワイヤレスデバイスに送信するように構成された送信機、データをワイヤレスデバイスから受信するように構成された受信機、及び送信機及び受信機に結合されたプロセッサを含む。受信機、送信機、及びプロセッサは以下のステップを実行するように構成されている。（１）自動再送要求（ＡＲＱ）を使用してワイヤレス通信装置からワイヤレスデバイスへ先のフレームを送信すること、（２）先のフレームの最後のスロットのワイヤレスデバイスによる受信の前に、ワイヤレスデバイスが正常に受信されたと先のフレームを肯定応答しているかどうかを判断すること、（３）先のフレームの最後のスロットの受信の前にワイヤレスデバイスにより正常に受信されたとの先のフレームの肯定応答がないことに応じて、先のフレームの最後のスロットのワイヤレスデバイスによる受信の結果としてワイヤレスデバイスが、正常に受信されたと先のフレームを肯定応答しているかどうかをワイヤレス通信装置で判断すること。
【００１２】
ある実施例において、ワイヤレス通信方法は以下のステップを含む。（ｉ）自動再送要求（ＡＲＱ）を使用して送信機から送信された先のフレームを受信機によって受信すること、（ｉｉ）先のフレームの最後のスロットの受信機による受信の前に先のフレームが正常に受信されたかどうかを受信機で判断すること、（ｉｉｉ）受信機が（１）先のフレームの最後のスロットの受信機による受信の前に先のフレームを正常に受信しないこと、及び（２）先のフレームの最後のスロットの受信機による受信の結果として先のフレームを正常に受信すること、に応じて、受信機から送信機へ先のフレームの肯定応答を送信すること。
【００１３】
ある実施例において、ワイヤレス通信装置はデータをワイヤレスデバイスに送信するように構成された送信機、データをワイヤレスデバイスから受信するように構成された受信機、及び送信機及び受信機に結合されたプロセッサを含む。受信機、送信機、及びプロセッサは以下のステップを実行するように構成されている。（ｉ）自動再送要求（ＡＲＱ）を使用してワイヤレスデバイスから送信された先のフレームをワイヤレス通信装置によって受信すること、（ｉｉ）先のフレームの最後のスロットのワイヤレス通信装置による受信の前に先のフレームが正常に受信されたかどうかをワイヤレス通信装置で判断すること、（ｉｉｉ）ワイヤレス通信装置が（１）先のフレームの最後のスロットのワイヤレス通信装置による受信の前に先のフレームを正常に受信しないこと、及び（２）先のフレームの最後のスロットのワイヤレス通信装置による受信の結果として先のフレームを正常に受信すること、に応じて、ワイヤレス通信装置からワイヤレスデバイスへ先のフレームの肯定応答を送信すること。
【００１４】
ある実施例において、製造品は機械実行可能コードを格納する少なくとも１つの機械読み取り可能メモリを含む。機械実行可能コードは以下のステップを実行するための命令を有する。（１）自動再送要求（ＡＲＱ）を使用して送信機から受信機へ先のフレームを送信すること、（２）先のフレームの最後のスロットの受信機による受信の前に、受信機が正常に受信されたと先のフレームを肯定応答しているかどうかを送信機で判断すること、（３）先のフレームの最後のスロットの受信の前に受信機により正常に受信されたとの先のフレームの肯定応答がないことに応じて、先のフレームの最後のスロットの受信機による受信の結果として受信機が、正常に受信されたと先のフレームを肯定応答しているかどうかを送信機で判断すること。
【００１５】
ある実施例において、製造品は機械実行可能コードを格納する少なくとも１つの機械読み取り可能メモリを含む。機械実行可能コードは以下のステップを実行するための命令を含む。（ｉ）自動再送要求（ＡＲＱ）を使用して送信機から送信された先のフレームを受信機によって受信すること、（ｉｉ）先のフレームの最後のスロットの受信機による受信の前に先のフレームが正常に受信されたかどうかを受信機で判断すること、（ｉｉｉ）受信機が（１）先のフレームの最後のスロットの受信機による受信の前に先のフレームを正常に受信しないこと、及び（２）先のフレームの最後のスロットの受信機による受信の結果として先のフレームを正常に受信すること、に応じて、受信機から送信機へ先のフレームの肯定応答を送信すること。
【００１６】
ある実施例において、ワイヤレス通信装置はデータをワイヤレスデバイスへ送信するための手段、データをワイヤレスデバイスから受信するための手段、及び送信するための手段ならびに受信するための手段に結合された処理するための手段を含む。受信するための手段、送信するための手段、及び処理するための手段は以下のステップを実行するように構成される。（１）自動再送要求（ＡＲＱ）を使用してワイヤレス通信装置からワイヤレスデバイスへ先のフレームを送信すること、（２）先のフレームの最後のスロットのワイヤレスデバイスによる受信の前に、ワイヤレスデバイスが正常に受信されたと先のフレームを肯定応答しているかどうかを判断すること、（３）先のフレームの最後のスロットの受信の前にワイヤレスデバイスにより正常に受信されたとの先のフレームの肯定応答がないことに応じて、先のフレームの最後のスロットのワイヤレスデバイスによる受信の結果としてワイヤレスデバイスが、正常に受信されたと先のフレームを肯定応答しているかどうかをワイヤレス通信装置で判断すること。
【００１７】
ある実施例において、ワイヤレス通信装置はデータをワイヤレスデバイスに送信するための手段、データをワイヤレスデバイスから受信するための手段、及び送信するための手段ならびに受信するための手段に結合された処理するための手段を含む。受信するための手段、送信するための手段、及び処理するための手段は以下のステップを実行するように構成される。（ｉ）自動再送要求（ＡＲＱ）を使用してワイヤレスデバイスから送信された先のフレームをワイヤレス通信装置によって受信すること、（ｉｉ）先のフレームの最後のスロットのワイヤレス通信装置による受信の前に先のフレームが正常に受信されたかどうかをワイヤレス通信装置で判断すること、（ｉｉｉ）ワイヤレス通信装置が（１）先のフレームの最後のスロットのワイヤレス通信装置による受信の前に先のフレームを正常に受信しないこと、及び（２）先のフレームの最後のスロットのワイヤレス通信装置による受信の結果として先のフレームを正常に受信すること、に応じて、ワイヤレス通信装置からワイヤレスデバイスへ先のフレームの肯定応答を送信すること。
【００１８】
ある実施例において、ワイヤレス通信装置は送信機及び受信機に結合された少なくとも１つのプロセッサを含む。プロセッサは以下のステップを実行するように構成される。（１）自動再送要求（ＡＲＱ）を使用してワイヤレス通信装置からワイヤレスデバイスへ先のフレームを送信すること、（２）先のフレームの最後のスロットのワイヤレスデバイスによる受信の前に、ワイヤレスデバイスが正常に受信されたと先のフレームを肯定応答しているかどうかを判断すること、（３）先のフレームの最後のスロットの受信の前にワイヤレスデバイスにより正常に受信されたとの先のフレームの肯定応答がないことに応じて、先のフレームの最後のスロットのワイヤレスデバイスによる受信の結果としてワイヤレスデバイスが、正常に受信されたと先のフレームを肯定応答しているかどうかをワイヤレス通信装置で判断すること。
【００１９】
ある実施例において、ワイヤレス通信装置は送信機及び受信機に結合された少なくとも１つのプロセッサを含む。プロセッサは以下のステップを実行するように構成される。（ｉ）自動再送要求（ＡＲＱ）を使用してワイヤレスデバイスから送信された先のフレームをワイヤレス通信装置によって受信すること、（ｉｉ）先のフレームの最後のスロットのワイヤレス通信装置による受信の前に先のフレームが正常に受信されたかどうかをワイヤレス通信装置で判断すること、（ｉｉｉ）ワイヤレス通信装置が（１）先のフレームの最後のスロットのワイヤレス通信装置による受信の前に先のフレームを正常に受信しないこと、及び（２）先のフレームの最後のスロットのワイヤレス通信装置による受信の結果として先のフレームを正常に受信すること、に応じて、ワイヤレス通信装置からワイヤレスデバイスへ先のフレームの肯定応答を送信すること。
【００２０】
ある実施例において、ワイヤレス通信方法は以下のステップを含む。自動再送要求（ＡＲＱ）を使用して送信機から受信機へ送られる第１のフレーム及び第２のフレームを受信し、第２のフレームが時間において第１のフレームに直ちに続くこと、（１）受信機が第１のフレームの時間において最後のスロット以外の第１のフレームの全てのスロットから第１のフレームを復号することができないこと、及び（２）受信機が第１のフレームの時間において最後のスロットを受信した結果として第１のフレームを復号すること、の両方に応じて、第２のフレームのスロットの受信機による受信の間に第１のフレームを肯定応答するためのステップ。
【００２１】
ある実施例において、ワイヤレス通信方法は、自動再送要求（ＡＲＱ）を使用して送信機から受信機へ第１のフレーム及び第２のフレームを送信し、第２のフレームが時間において第１のフレームに直ちに続くこと、及び（１）受信機が第１のフレームの時間において最後のスロット以外の第１のフレームの全てのスロットから第１のフレームを復号することができないこと、及び（２）受信機が第１のフレームの時間において最後のスロットを受信した結果として第１のフレームを肯定応答すること、の両方に応じて、第２のフレームのスロットの受信機による受信の間に第１のフレームの再送を防ぐためのステップを含む。
【００２２】
説明される方法、装置、及び製造品の適応性のさらなる範囲は以下の詳細な説明、特許請求の範囲、及び図面によって明らかになる。詳細な説明及び特定の例は、開示及び特許請求の範囲の好まれる例を指し示しているけれども、説明の範囲及び趣旨の内での様々な変更及び改変が当業者には明らかになるので、例示としてのみ与えられる。
【図面の簡単な説明】
【００２３】
【図１】参照番号１０２Ａから１０２Ｇまではセルを表し、参照番号１６０Ａから１６０Ｇまでは基地局を表し、ならびに参照番号１０６Ａから１０６Ｇまではアクセス端末を表す、通信システム１００の機能的なブロック図。
【図２】基地局もしくはワイヤレストランシーバ基地局１６０に結合された基地局コントローラ（ＢＳＣ）１３０Ａ−Ｄを含む、通信ネットワーク１００の選択されたコンポーネントを例示する図。
【図３】パケットネットワークインタフェース１４６及びＰＳＴＮ１４８とインタフェースされた基地局コントローラ１３０及び基地局１６０を例示する図。
【図４】ＡＴ１０６が、（電力増幅器（ＰＡ）１０８を含む）送信回路１６４、受信回路１０９、電力コントローラ１０７、復号プロセッサ１５８、信号を処理する際に使用する処理ユニット１０３、及びメモリ１１６を含む、ＡＴ１０６の例。
【図５】例えばユーザ機器１２３−１２７で実行され得る送信機構造及び／もしくはプロセスの例。
【図６】ＡＲＱを使用して通信システムの送信機によって実行されるプロセスの選択されたステップ及び決定を例示する図。
【図７】ＡＲＱを使用して通信システムの受信機によって実行されるプロセスの選択されたステップ及び決定を例示する図。
【発明の詳細な説明】
【００２４】
技法のある特定の態様が本文書の中でｃｄｍａ２０００１ｘに基づいて動作するシステムを参照して説明され、従ってｃｄｍａ２０００１ｘの技術が以下の説明において使用され得る。しかしその技法は、名付けられるのがどのようであってもＡＲＱ及び類似の再送技術を使用する他の標準規格及び技術に適用可能であり得る。
【００２５】
添付の図面と関係して以下で記述される詳細な説明は例示的な例を説明しており、本明細書内で説明される本質に従って実行され得る、もしくは請求項の範囲内にある例のみを意味しているのではない。この説明全体を通して使用される「例示的な」という用語は「例、事例、もしくは例示としての役割をする」ことを意味しており、必ずしも特定の実行が他の例に対して有利もしくは好まれることを暗示しているとして解釈されるべきではない。詳細な説明は、説明される方法及び装置の徹底的な理解を提供する目的のために具体的な詳細を含む。しかしながら、方法及び装置がこれらの具体的な詳細がなくても実施され得ることは当業者には明らかになる。いくつかの事例において周知の構造及びデバイスは、説明される方法及び装置のコンセプトを曖昧にすることを避けるためにブロック図の形態で表示されている。
【００２６】
「フレームのスロットの受信に対応する肯定応答の位置」は、時間においてフレームの受信と一致する肯定応答チャネルの肯定応答の位置を意味する。
【００２７】
図１−５を参照して本明細書においてさらに説明されるのは、本開示の本質が適用され得るＣＤＭＡに従って動作する無線ネットワークの例である。通信システムは、単一のキャリア周波数、もしくは複数のキャリア周波数を使用し得る。ワイヤレス通信システムにおいてチャネルは、アクセスネットワーク（ＡＮ）１２０からアクセス端末（ＡＴ）１０６への送信用の順方向リンク（ＦＬ）、及びＡＴ１０６からＡＮ１２０への送信用の逆方向リンク（ＲＬ）から成る。ＡＴ１０６はまた、遠隔局、移動局、加入者局として、もしくは類似の呼称によっても知られる。また、アクセス端末（ＡＴ）１０６は可動式、もしくは固定式であり得る。それぞれのリンクは異なる数のキャリア周波数を組み込み得る。さらには、アクセス端末１０６はワイヤレスチャネルを通じて、もしくは有線のチャネルを通じて、例えば光ファイバーもしくは同軸ケーブルを使用して通信する任意のデータデバイスであり得る。アクセス端末１０６はさらに、ＰＣカード、コンパクトフラッシュ（登録商標）、外部もしくは内部モデム、あるいはワイヤレスもしくはワイヤライン電話に制限されないがこれらを含む多くのタイプのデバイスのいずれかであり得る。
【００２８】
通信システム用の参照モデルはエアインタフェースを介してＡＴ１０６と通信するアクセスネットワーク１２０を含み得る。アクセス端末１０６は、エアインタフェースを手段として（モデムプールトランシーバとも称される）１つまたは複数の基地局１０６を通じて（モデムプールコントローラ１３０（ＭＰＣ）としても称される）ＨＤＲ基地局コントローラ１３０へデータパケットを送信及び受信する。ＡＮ１２０は、エアインタフェースを手段として、システム内のいずれの他のＡＴｓ１０６と同様にＡＴ１０６と通信する。アクセス端末１０６が基地局１６０に信号を送る通信リンクは逆方向リンクと呼ばれる。基地局１６０がアクセス端末１０６に信号を送る通信リンクは順方向リンクと呼ばれる。基地局１６０及び基地局コントローラ１３０はアクセスネットワーク（ＡＮ）１２０の一部である。ＡＮ１２０は、それぞれのセクタが少なくとも１つのチャネルを提供する複数のセクタを含む。チャネルは、所与の周波数の割り当て内のＡＮ１２０とＡＴの１０６の間の送信用の通信リンクのセットとして定義される。チャネルは、ＡＮ１２０からＡＴ１０６への送信用の順方向リンク、及びＡＴ１０６からＡＮ１２０への送信用の逆方向リンクから成る。アクセスネットワーク１２０は、企業内イントラネットもしくはインターネットのようなアクセスネットワーク１２０の外部の追加のネットワーク１０４にさらに接続され得、それぞれのアクセス端末１０６とそのような外部ネットワーク１０４の間でデータパケットを移送し得る。１つまたは複数の基地局１６０とのアクティブトラフィックチャネル接続を確立しているアクセス端末１０６はアクティブアクセス端末１０６と呼ばれ、トラフィック状態にあると言われる。１つまたは複数の基地局コントローラ１３０とのアクティブトラフィックチャネル接続を確立するプロセスにあるアクセス端末１０６は接続セットアップ状態にあると言われる。
【００２９】
図１は、参照番号１０２Ａから１０２Ｇまではセルを表し、参照番号１６０Ａから１６０Ｇまでは基地局を表し、ならびに参照番号１０６Ａから１０６Ｇまではアクセス端末を表す、通信システム１００の簡略化された機能的なブロック図である。上記で述べられたように基地局コントローラ１３０は、地理的領域に渡って分散された全ての基地局１６０とネットワーク１０４の間にインタフェースを提供するために使用され得る。説明を容易にするために、１つの基地局１６０のみが表示される。地理的領域は概して、セル１０２として知られるより小さな領域に再分割される。それぞれの基地局１６０はその各々のセル内の全ての加入者局１０６にサービスするように構成される。いくつかの高いトラフィックアプリケーションにおいて、セル１０２はそれぞれのセクタにサービスする基地局１６０を有するセクタに分割され得る。それぞれの加入者局１０６Ａ−Ｇは、基地局コントローラ１３０の制御に基づいて１つまたは基地局１６０Ａ−Ｇを通じてネットワーク１０４にアクセスし得る、もしくは他の加入者局１０６と通信し得る。
【００３０】
図２は、基地局もしくはワイヤレストランシーバ基地局１６０に結合された基地局コントローラ（ＢＳＣ）１３０Ａ−Ｄを含む、通信ネットワーク１００の選択されたコンポーネントを例示する。基地局１６０は対応するワイヤレス接続１５５、１６７、１８２、１９２、１９３、１９４を通じてアクセス端末１０６と通信する。通信チャネルは、基地局１６０からＡＴ１０６への送信用の（ダウンリンクとしても既知の）順方向リンク（ＦＬ）及びＡＴ１０６から基地局１６０への送信用の（アップリンクとしても既知の）逆方向リンク（ＲＬ）を含む。ＢＳＣ１３０Ａ−Ｄは１つまたは複数の基地局１６０に制御の機能性を提供する。基地局コントローラ１３０Ａ−Ｄは移動通信交換局（ＭＳＣ）１５１、１５２を通じて公衆交換電話網（ＰＳＴＮ）１４８に結合される。別の例において、基地局コントローラ１３０Ａ−Ｄはパケットデータサーバノード（ＰＤＳＮ）（表示されていない）を通じてパケット交換ネットワーク（ＰＳＮ）（表示されていない）に結合される。基地局コントローラ１３０Ａ−Ｄとパケットデータサーバノードのような様々なネットワーク要素間でのデータ交換は、例えばインターネットプロトコル（ＩＰ）、非同期転送モード（ＡＴＭ）プロトコル、Ｔ１、Ｅ１、フレームリレー、及び他のプロトコルのような任意の数のプロトコルを使用して実行され得る。
【００３１】
ＢＳＣ１３０Ａ−Ｄは複数の役割を果たす。第１に、基地局１６０を使用しようとしている新たなモバイルもしくはサービスの参入(admission)を制御し得る。第２に、基地局１６０の観点から、ＢＳＣ１３０Ａ−Ｄは制御ＢＳＣである。アクセス端末１０６が、ネットワークが利用可能とするものまでの無線リソース（帯域幅及び信号／雑音比）を割り当てられることを、参入を制御することは確実にする。ＡＴの観点から、ＢＳＣ１３０Ａ−Ｄは、それがＡＴ１０６のリンクレイヤ通信を終端する(terminate)サービスＢＳＣとしての役割をする。サービスＢＳＣはまた、コアネットワークを使用しようとしている新たなＡＴｓもしくはサービスの参入も制御する。
【００３２】
順方向リンクは特定の基地局１６０の個々のユーザをチャネライズするためにウォルシュコード（Ｗａｌｓｈ  ｃｏｄｅ）を使用する。ＩＳ−９５ＣＤＭＡシステムは、互いに直交する（つまり、それらのクロス積（ｃｒｏｓｓ−ｐｒｏｄｕｃｔ）はゼロに等しい）６４個のウォルシュ関数を使用し、順方向リンク上の論理チャネルのそれぞれはその割り当てられたウォルシュ関数によって識別される。ウォルシュ関数は、順方向リンク上の相互干渉を回避するために、同じＲＦ帯域を占める個々のユーザを分けるように使用されるコードを生成するために使用される。従って、ウォルシュコードは個々の通信チャネルを一意に識別することを容易にする直交コードである。加えて、順方向リンクはまた、疑似ランダム雑音（ＰＮ）コードを使用する。それぞれの基地局は、ウォルシュコードのトップに重ねられる一意のＰＮを割り当てられる。これは異なる基地局（もしくはセクタ）の間に分離を提供するために行われ、その分離は、それぞれの基地局が同じ６４個のウォルシュコードのセットを使用するために使用される。順方向リンク上で使用されるＰＮコードは「ショート」コードと呼ばれる。
【００３３】
ＩＳ−２０００及びＩＳ−９５のような現行のＣＤＭＡ標準規格は、複数の逆方向リンクアクセス端末１０６のどれが基地局１６０に送信しているかを区別するためにロングコード内に一意のシフトを組み込むチップレベルのスクランブリングコードを利用する。このスキームに従ってチャネルは、それらが互いに対して直交であるように定義されることはできない。ＣＤＭＡ標準規格によって定義されるもののようなシステムは、プライマリスクランブリングコードとして知られるそれぞれの基地局のための一意のＰＮコードを使用して基地局１６０を区別する。ＩＳ−９５ＣＤＭＡにおいて、逆方向リンクはチャネライゼーションのために「ロング」ＰＮコードを使用する。疑似ランダム雑音（ＰＮ）のシーケンスは、送信されるパイロット信号を含んで、送信されるデータを拡散するためにＣＤＭＡシステムにおいて一般的に使用される。ＰＮシーケンスの単一の値を送信するために要求される時間はチップとして知られ、チップが変化するレートはチップレートとして知られる。直接拡散のＣＤＭＡシステムの設計につきものなのは、受信機が、そのＰＮシーケンスを基地局１６０のものに合わせる(align)要件である。
【００３４】
最新の通信システムは、複数のユーザが共通の通信媒体にアクセスすることを許容するように設計されている。時分割多元接続（ＴＤＭＡ）、周波数分割多元接続（ＦＤＭＡ）、空間分割多元接続、偏波分割多元接続（ｐｏｌａｒｉｚａｔｉｏｎ  ｄｉｖｉｓｉｏｎ  ｍｕｌｔｉｐｌｅ−ａｃｃｅｓｓ）、符号分割多元接続（ＣＤＭＡ）、及び他の類似の多元接続技法のような、幾多の多元接続技法が当分野内で知られている。多元接続のコンセプトは、複数のユーザが共通の通信リンクにアクセスすることを許容するチャネル割り当て方法論である。チャネル割り当ては特定の多元接続技法次第で様々な形態をとり得る。例としてＦＤＭＡシステムにおいて、全ての周波数スペクトルは多くのより小さなサブバンドに分けられ、それぞれのユーザは通信リンクにアクセスするためにそれ専用の（ｏｗｎ）サブバンドが与えられる。あるいはＴＤＭＡシステムにおいて、それぞれのユーザは周期的に循環する時間スロットの間に全体の周波数スペクトルが与えられる。ＣＤＭＡシステムにおいてそれぞれのユーザは、全ての時間の間全体の周波数スペクトルが与えられるが、コードの使用を通じてその送信を区別する。
【００３５】
高いデータレート（ＨＤＲ）送信をサポートし、複数のユーザへの送信をスケジューリングするために適合される通信システムの１つの例が図３において例示される。図３は以下で詳細に説明され、ここにおいて特に基地局１６０及び基地局コントローラ１３０はパケットネットワークインタフェース１４６とインタフェースする。基地局コントローラ１３０は、システム１２０における送信用のスケジューリングアルゴリズムを実行するためのチャネルスケジューラ１３２を含む。チャネルスケジューラ１３２は、（例えば、最も間近に受信されたＤＲＣ信号において示されるような）データを受信するための遠隔局の関連する瞬間的なレートに基づいてデータが任意の特定の遠隔局に送信されることになるサービスインターバルの長さを決定する。サービスインターバルは時間において連続しない場合があるが、ｎ個のスロット毎に１度は生じ得る。１つの例に従うと、パケットの第１の部分は１度目に第１のスロットの間で送信され、第２の部分は後に続く期間の４スロット後に送信される。また、パケットの任意の後に続く部分は拡張された類似の４スロットの隔たりを有する、つまり互いに４スロット離れた複数のスロットにおいて送信される。データを受信する瞬間的なレートＲｉは、特定のデータキューと関連するサービスインターバルの長さＬｉを決定する。
【００３６】
加えて、チャネルスケジューラ１３２は送信用に特定のデータキューを選択する。送信されるデータの関連する量はその後、データキュー１７２から取り出され(retrieve)、データキュー１７２と関連する遠隔局への送信用のチャネル要素１６８に提供される。以下で論じられるようにチャネルスケジューラ１３２は、キューのそれぞれに関連する重みを含む情報を使用して、後に続くサービスインターバルにおいて、送信されるデータを提供するためのキューを選択する。送信されたキューと関連する重みはその後アップデートされる。
【００３７】
基地局コントローラ１３０は、通信システムにおいてパケットネットワークインタフェース１４６、公衆交換電話網（ＰＳＴＮ）１４８、及び全ての基地局とインタフェースする（簡略化のため、１つの基地局１６０のみが図３で表示される）。基地局コントローラ１３０は通信システム内の遠隔局と、パケットネットワークインタフェース１４６及びＰＳＴＮ１４８と接続する他のユーザとの間の通信を調整する。ＰＳＴＮ１４８は標準電話ネットワークを通じてユーザとインタフェースする（図３には表示されていない）。
【００３８】
基地局コントローラ１３０は、簡略化のため図３には１つしか表示されていないけれども、多くのセレクタ要素１３６を包含する。それぞれのセレクタ要素１３６は、１つまたは複数の基地局１６０と１つの遠隔局（表示されていない）との間の通信を制御するために割り当てられる。もしセレクタ要素１３６が所与の遠隔局に割り当てられていない場合、呼び出し(call)制御プロセッサ１４１はその遠隔局にページングする必要性が通知される。呼び出し制御プロセッサ１４１はその後、遠隔局にページングするために基地局１６０に指示をする。
【００３９】
データソース１２２は所与の遠隔局に送信されることになる、データの量を包含する。データソース１２２はデータをパケットネットワークインタフェース１４６に提供する。パケットネットワークインタフェース１４６はデータを受信し、データをセレクタ要素１３６にルーティングする。セレクタ要素１３６はその後、ターゲットの遠隔局１０６と通信するそれぞれの基地局１６０にデータを送信する。１つの例において、それぞれの基地局１６０は、遠隔局１０６に送信されるデータを格納するデータキュー１７２を維持する。
【００４０】
データは、データパケットにおいてデータキュー１７２からチャネル要素１６８に送信される。順方向リンク上で「データパケット」は、（１．６６７ｍｓｅｃにほぼ等しいような）予め決められた「時間スロット」内に目的の遠隔局に送信されるデータの量、及び最大１０２４ビットであり得るデータの量を表す。それぞれのデータパケットのために、チャネル要素１６８は制御フィールドを挿入する。１つの例においてチャネル要素１６８は、データパケット及び制御フィールドの巡回冗長検査ＣＲＣ符号化を実行し、１組のコードテイルビットを挿入する。データパケット、制御フィールド、ＣＲＣパリティビット、及びコードテイルビットはフォーマット化されたパケットを備える。チャネル要素１６８はその後、フォーマット化されたパケットを符号化し、ならびに符号化されたパケット内のシンボルをインターリーブ（もしくは再順序付け）する。インターリーブされたパケットはウォルシュコードでカバーされ（ｃｏｖｅｒ）、ショートＰＮＩ及びＰＮＱコードを用いて拡散される。拡散されたデータは、信号を直交変調し、フィルタし、ならびに増幅するＲＦユニット１７０に提供される。順方向リンクの信号は無線上で順方向リンクへのアンテナを通じて送信される。
【００４１】
遠隔局１０６で、ダウンリンクのリンク信号はアンテナによって受信され、受信機へルーティングされる。受信機は信号をフィルタし、増幅し、直交復調し、ならびに量子化する。デジタル化された信号は、それがショートＰＮＩ及びＰＮＱコードを用いて逆拡散され、ならびにウォルシュカバーでデカバー（ｄｅｃｏｖｅｒ）される復調器（ＤＥＭＯＤ）に提供される。復調されたデータは、特にデインターリーブ、復号、及びＣＲＣ検査機能など、基地局１６０で行われる信号処理機能の逆を実行する復号器に提供される。復号されたデータはデータシンクに提供される。
【００４２】
それぞれの遠隔局１０６によって送信されるＤＲＣ信号は逆方向リンクチャネルを通じて伝わり、ＲＦユニット１７０に結合された受信アンテナを通じて基地局１６０で受信される。ＤＲＣ情報はチャネル要素１６８において復調され、基地局コントローラ１３０に位置するチャネルスケジューラ１３２に、もしくは基地局１６０に位置するチャネルスケジューラ１７４に提供される。１つの例において、チャネルスケジューラ１７４は基地局１６０に位置する。別の例において、チャネルスケジューラ１３２は基地局コントローラ１３０に位置し、基地局コントローラ１３０内の全てのセレクタ要素１３６に接続する。
【００４３】
図４は、ＡＴ１０６が、（電力増幅器（ＰＡ）１０８を含む）送信回路１６４、受信回路１０９、電力コントローラ１０７、復号プロセッサ１５８、信号を処理する際に使用する処理ユニット１０３、及びメモリ１１６を含む、ＡＴ１０６の別の例を例示する。
【００４４】
処理ユニット１０３はＡＴ１０６の動作を制御する。処理ユニット１０３はＣＰＵとしても称され得る。読み取り専用メモリ（ＲＯＭ）及びランダムアクセスメモリ（ＲＡＭ）の両方を含み得る、メモリ１１６は処理ユニット１０３に命令及びデータを提供する。メモリ１１６の一部はまた、非揮発性のランダムアクセスメモリ（ＮＶＲＡＭ）も含み得る。
【００４５】
送信回路１６４及び受信回路１０９はＡＴ１０６と遠隔のロケーションの間の、音声通信のような、データの送信及び受信を可能にする。送信回路１６４及び受信回路１０９はアンテナ１１８に結合され得る。
【００４６】
ＡＴ１０６の様々なコンポーネントは、データバスに加えて、電力バス、制御信号バス、及びステータス信号バスを含み得る、バスシステム１３０によって互いに結合される。明確化のために、その様々なバスが図４においてバスシステム１３０として例示される。
【００４７】
論じられる方法のステップはまた、図３で表示されるように、基地局１６０内のメモリ１６１に位置するソフトウェアもしくはファームウェア４３の形態で命令としても格納され得る。これらの命令は、図３における基地局１６０の制御ユニット１６２によって実行され得る。あるいは、もしくは関連して、論じられる方法のステップは、ＡＴ１０６内のメモリ１１６に位置するソフトウェアもしくはファームウェア４２の形態で命令として格納され得る。これらの命令は、図４におけるＡＴ１０６の処理ユニット１０３によって実行され得る。
【００４８】
図５は、例えばユーザ機器１２３−１２７で実行され得る送信機構造及び／もしくはプロセスの例を例示する。図５において表示される機能及びコンポーネントはソフトウェア、ハードウェア、もしくはソフトウェアとハードウェアの組み合わせによって実行され得る。他の機能は、図５において表示される機能の代わりとして、もしくはそれに加えて図５に加えられ得る。
【００４９】
図５において、データソース２００はデータｄ（ｔ）すなわち２００ａをＦＱＩ／符号器２０２に提供する。ＦＱＩ／符号器２０２は巡回冗長検査（ＣＲＣ）のようなフレーム品質インジケータ（ＦＱＩ）をデータｄ（ｔ）に付加し得る。ＦＱＩ／符号器２０２はさらに符号化されたシンボル２０２ａを提供するために１つまたは複数のコーディングスキームを使用してデータ及びＦＱＩをさらに符号化し得る。それぞれのコーディングスキームは、例えば、畳込みコーディング、ターボコーディング、ブロックコーディング、反復コーディング、他のタイプのコーディング、もしくは全くコーディングしないこと、の１つまたは複数のタイプのコーディングを含み得る。他のコーディングスキームは、自動再送要求（ＡＲＱ）、ハイブリットＡＲＱ（Ｈ−ＡＲＱ）、及びインクレメンタル（ｉｎｃｒｅｍｅｎｔａｌ）冗長再送技法を含み得る。異なるタイプのデータは異なるコーディングスキームで符号化され得る。
【００５０】
インタリーバ２０４は、フェージングに対抗するために時間において符号化されたデータシンボル２０２ａをインターリーブし、シンボル２０４ａを生成する。信号２０４ａのインターリーブされたシンボルは、フレーム２０５ａを作り出すために予め定義されたフレームフォーマットにフレームフォーマットブロック２０５によってマッピングされ得る。ある例において、フレームフォーマットは複数のサブセグメントから成るものとしてフレームを特定し得る。サブセグメントは、例えば、時間、周波数、コード、もしくは任意の他のディメンション（ｄｉｍｅｎｓｉｏｎ）のようなディメンションに沿った、フレームの連続する部分のいずれかであり得る。フレームは、固定された複数のそのようなサブセグメントから成り得、それぞれのサブセグメントはフレームに割り当てられたシンボルの総数の一部を包含する。例えばＷ−ＣＤＭＡ標準規格に従って、サブセグメントはスロットとして定義され得る。ｃｄｍａ２０００標準規格に従って、サブセグメントは電力制御グループ（ＰＣＧ）として定義され得る。ある例において、インターリーブされたシンボル２０４ａは、フレーム２０５ａを構成する複数Ｓ個のサブセグメントにセグメント化される。
【００５１】
フレームフォーマットはさらに、インターリーブされたシンボル２０４ａと共に、例えば制御シンボル（表示されていない）の包含を特定し得る。そのような制御シンボルは、例えば電力制御シンボル、フレームフォーマット情報シンボルなどを含み得る。
【００５２】
変調器２０６は変調されたデータ２０６ａを生成するためにフレーム２０５ａを変調する。変調技法の例は２相位相変調（ＢＰＳＫ）、４相位相変調（ＱＰＳＫ）を含む。変調器２０６はまた変調されたデータのシーケンスを反復し得る。
【００５３】
ベースバンドから無線周波数（ＲＦ）への変換ブロック２０８は、１つまたは複数のノードＢ局受信機へのワイヤレス通信リンクを介した信号２１０ａとしてのアンテナ２１０を通じた送信のために、変調された信号２０６ａをＲＦ信号へ変換し得る。
【００５４】
ｃｄｍａ２０００１ｘ標準規格の改訂版Ｅにおいて、物理レイヤに肯定応答チャネルが加えられている。この肯定応答チャネルの目的は、一度肯定応答が受信機から受信されるとフレームの送信を終了させることである。受信機における正常な復号の結果、フレームの早期の終了のための複数の、例えば１６回の、機会が存在する。早期の終了は全体の送信電力を減少させ、従ってシステム容量を増加させる。ｃｄｍａ２０００１ｘにおいて遅延したＡＲＱをベースとした利用可能な再送メカニズムは存在しない。本文書で説明される選択された例において、肯定応答チャネルは誤って受信されたフレームを再送するために使用される。受信機が送信機による先のフレームを送信するための最後の試みを肯定応答するのに利用可能なメカニズムが存在しないとき、送信における誤りは正確には判断されない。フレームの最後の（例えば１５番目の）パイロット制御グループ（ＰＣＧ）の送信に続くフレームの正常な復号を肯定応答する準備がないとき、これは事実であり得る。
【００５５】
本文書で説明される選択された例において、受信機は、肯定応答されているフレームの直後に続くフレームであり得る、後のフレームにおける最後の（例えば１５番目の）ＰＣＧの間に肯定応答を送信するように構成される。送信機は、もしそれがフレームのための肯定応答を受信しない場合にそれが後に続く時間の間にそのフレームを再送し得るように構成される。さらに、複数の再送がなされ得る。
【００５６】
例として無線周波数（ＲＦ）通信システムの受信機は、フレームが同じフレームの最後の（例えば、１５番目の）パイロット制御グループ（ＰＣＧ）の受信に続いて復号されるとき、そのフレームのための肯定応答を送信するように構成される。送信機は、後のフレームにおいて先のフレームの肯定応答を受信するように構成され、ならびに、その肯定応答の受信に応じて（１）先のフレームの再送のスケジューリングを途中停止し、（２）先のフレームのいずれのスケジューリングされた再送を途中停止し、ならびに／あるいは（３）先のフレームが受信機で受信され、正常に復号されたことを（物理レイヤの上位にある）（１つまたは複数の）上位の通信レイヤにシグナリングするように構成される。送信機はまた、後のフレームの予め決められた部分の間に受信機からの先のフレームの肯定応答を受信しないことに応じてのみ先のフレームの再送をスケジューリングするようにも構成され得る。後のフレームは先のフレームに直ちに続き得る。例えば、接続セットアップネゴシエーションの間システムは、受信機が後のフレームの適当な受信（正常な復号）を肯定応答するために許容された期間を定義するａｃｋ＿ｍａｓｋ１、及び受信機が先のフレームの適当な受信（正常な復号）を肯定応答するために許容された期間を定義するａｃｋ＿ｍａｓｋ２の値を決定することができる。２つのマスクの値は重複しない許容された期間を提供し、よって受信機は、後のフレーム内で（１）先のフレームの正常な復号、及び（２）後のフレームの正常な復号を肯定応答し得る。
【００５７】
図６はＡＲＱを使用して通信システムの送信機によって実行される典型的なプロセス６００の選択されたステップ及び決定ブロックを例示する。
【００５８】
フローポイント６０１において、送信機は電源を入れられており、受信機との通信用に構成されている。
【００５９】
ステップ６０５において、送信機は以下の２つのマスクを含む受信機接続パラメータを用いてネゴシエート（ｎｅｇｏｔｉａｔｅ）する。（１）受信機が現在の（つまり、後の）フレームの適当な受信（正常な復号）を肯定応答するために許容される期間を定義する第１のａｃｋ＿ｍａｓｋ、及び（２）受信機が、例えば直前に先行するフレームなどの、先のフレームの適当な受信（正常な復号）を肯定応答するために許容される期間を定義する第２のａｃｋ＿ｍａｓｋ。以下の表１及び２は、受信機が（１）現在のフレームのＰＣＧの１つの受信に続く現在のフレームの正常な復号に応じて現在のフレームを肯定応答し得る、および（２）先のフレームの最後の（例えば１５番目の）ＰＣＧの受信に続く先のフレームの正常な復号に応じて先のフレームを肯定応答し得る、２つのマスクの例を表示している。表において、上の行は対応するマスクにおける位置を表示し、下の行における「１」は肯定応答チャネル上のその位置が利用可能なことを示し、下の行における「０」はその位置が利用不可能なことを示す。従って受信機は、１つのフレーム内で２つのフレームの適当な受信、つまり、同じフレーム（そのフレームの間に肯定応答がなされる）の適当な受信、及び前のフレームの適当な受信をも肯定応答し得る。
【表１】
2013524690.tif 000003
【表２】
2013524690.tif 000004
【００６０】
これらは単なる例であり、１つの位置が２つ以上のフレームのための肯定応答を示さない限り、他のマスクの値が用いられることができることは留意されたい。また、１及び０のそれぞれの意味は逆にされ得る、つまり０は特定のフレームの肯定応答のためにその位置が利用可能なことを示し、１は利用不可能なことを示す。また、位置の全てが必ずしも２つのフレームの肯定応答専用であるわけではないことも留意されたい。例えば、位置のいくつかはどちらか一方のフレームの肯定応答にとって利用不可能にされ得る。さらに、スキームを単一のフレーム内で２個よりも多い肯定応答に拡張することが可能であり得る。
【００６１】
ステップ６１０において、送信機は複数の（例えば、１６個の）ＰＣＧもしくはスロットを使用して第１の（先の）フレームを送信する。
【００６２】
決定ブロック６１５において、送信機は先のフレームが肯定応答されているかどうかを検査する。例えば、送信機は、表１に従って、先のフレームのＰＣＧの位置５−１５において先のフレームの肯定応答を探す。もしフレームが肯定応答されている場合、送信機は、ステップ６２０における後のフレームの送信に進む。
【００６３】
そうでなければプロセスのフローは、送信機が、先のフレームの最後のＰＣＧが送信されているかどうかを判断する決定ブロック６２５に続く。もしそうでなければ、プロセスのフローは決定ブロック６１５に戻り、先のフレームの（１つまたは複数の）ＰＣＧを送信し続ける。
【００６４】
もし先のフレームの最後のＰＣＧが肯定応答なしで送信されている場合、決定ブロック６２５において判断されるように、送信機は、ステップ６３０における後のフレームのＰＣＧを送信することに進む。
【００６５】
（ステップ６３０の後に続く）決定ブロック６３５において、送信機は先のフレームが後のフレームの間に肯定応答されているかどうかを判断する。例えば、送信機は、表２に従って、後のフレームのＰＣＧの位置０−４において先のフレームの肯定応答を探す。
【００６６】
もし先のフレームが肯定応答されている場合、送信機は先のフレームの再送をスケジューリングせず（もしくは先のフレームのスケジューリングされた再送をキャンセルし）、後のフレームの送信に進み、これは概してステップ６４０に示されている。もし先のフレームが肯定応答されていない場合、送信機は後のフレームの送信を続け、かつ先のフレームの再送をスケジューリングし（もしくはもしそのような再送がすでにスケジューリングされている場合、先のフレームのスケジューリングされた再送をキャンセルしない）、これは概してステップ６５０に示されている。送信機は、ブロック６３５の決定を下すために後のブロックの送信の終了まで待機する必要はないが、ステップ６０５においてネゴシエートされたように、先のフレームが肯定応答され得る肯定応答チャネルの最後の位置の受信の後にそのようにすることができることを留意されたい。表１及び２に従って、決定は、肯定応答チャネル上の肯定応答の表示の位置４の受信の後に下され得る。
【００６７】
プロセスはその後、必要に応じて、他のフレームの送信のために反復され得る。
【００６８】
図７は送信機と通信している、通信システムの受信機によって実行される典型的なプロセス７００の選択されたステップ及び決定ブロックを例示する。
【００６９】
フローポイント７０１において、受信機は電源を入れられており、送信機との通信用に構成されている。
【００７０】
ステップ７０５において、受信機は、上記でステップ６０５と関連して説明されたように、２つのマスクを含む、接続パラメータを送信機とネゴシエートする。
【００７１】
ステップ７１０において、受信機は先のフレームを受信する。特に、受信機は先のフレームのそれぞれのＰＣＧ（もしくは「スロット」）の受信に続いてフレームを復号することを試みる。
【００７２】
決定ブロック７１５において、受信機は先のフレームが正常に復号されているかどうかを判断する。もし先のフレームが正常に復号されていない場合、受信機は、決定ブロック７２０において、先のフレームの最後のＰＣＧ／スロットが受信されているかどうかを判断する。もし先のフレームの最後のＰＣＧ／スロットが受信されている場合、プロセスのフローは、例えば、後のスロットを受信するためにステップ７２５に続き、先のスロットの肯定応答はどれも送信されない。もし最後のＰＣＧが受信されていない場合、プロセスのフローは先のスロットを受信し続けるためにステップ７１０に戻る。
【００７３】
もし受信機が決定ブロック７１５において先のフレームが正常に復号されていると判断する場合、表１及び２において表示されているもののようなマスクを含むネゴシエートされたパラメータに従って受信機は先のフレームの肯定応答を送信する。特にプロセスのフローは決定ブロック７１５の肯定的な判断から決定ブロック７４０に進む。決定ブロック７４０において、受信機は、表１に従って（例えば、肯定応答されているフレームの位置５−１５において）先のフレームの肯定応答を依然として送信することができるかどうか判断する。もし送信できる場合、ステップ７４５においてそれは、先のフレームに対応する肯定応答送信において先のフレームの肯定応答を送信する。もし肯定応答が、決定ブロック７４０において判断されたときに先のフレームに対応する肯定応答送信において送信されることができないが、後のフレームに対応する肯定応答送信において依然として送信されることができる場合、ステップ７５０において受信機は、例えば表２に従って後のフレームに対応する肯定応答送信において先のフレームの肯定応答を送信する。
【００７４】
プロセスはその後、必要に応じて、他のフレームの受信のために反復され得る。
【００７５】
フレーム（先のフレームと後のフレームのどちらか、もしくは両方）は音声及び／もしくは映像情報のようなトラフィック情報を搬送し得る。（１つまたは複数の）フレームにおけるトラフィック情報は受信機のユーザにレンダリング（ｒｅｎｄｅｒ）され得る（例えば、表示され得る、及び／もしくは音で伝えられ得る）。
【００７６】
様々な方法の決定ブロック及びステップが本明細書で連続して説明され得ているけれども、これらのステップ及び決定のいくつかは、結合してあるいは並行して、非同期的にあるいは同期的に、パイプライン方式で、もしくは他の方法で別個の要素によって実行され得る。ステップ及び決定が、明示的にそのように示され、他の方法でコンテクストから明らかになり、もしくは本質的に要求されている場合を除いて、本説明がそれらをリストし、添付の図面がそれらを表示する同じ順序で実行されるべきであるという特定の要件はない。しかしながら、選択された変形において、ステップ及び決定が上記で説明された、及び／もしくは添付の図面において表示された特定の工程において実行されることは留意されるべきである。さらには、具体的に例示されていないいくつかのステップ及び決定はいくつかの変形で望ましい、もしくは必要であり得るのに対し、全ての例示されたステップ及び決定が全ての変形において要求され得るわけではない。
【００７７】
情報及び信号は、様々な異なる技術及び技法のいずれかを使用して示され得る。例えば、上の記述全体を通して参照されうるデータ、命令、コマンド、情報、信号、ビット、シンボル、およびチップは、電圧、電流、電磁波、磁場または粒子、光電場または光粒子、またはこれらのあらゆる組み合わせによって表されうる。
【００７８】
本明細書に開示された例と関連して説明されている様々な例示的な論理ブロック、モジュール、回路、アルゴリズムステップが電子ハードウェア、コンピュータソフトウェア、もしくは両方の組み合わせとして実行され得る。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性がインプリメントされるか否かは、特定のアプリケーションとシステム全体に課された設計制約とに依存する。それぞれの特定アプリケーションのための様々な方法で述べられている機能性は実行され得るが、このような実行の決定は本開示及び請求項の範囲からの逸脱の原因になると解釈されるべきではない。
【００７９】
本明細書で開示された例と関係して説明される様々な例示的な論理ブロック、モジュール、回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、もしくは、本明細書で説明される機能を実行するよう設計されたそれらの任意の組み合わせで実装もしくは実行され得る。汎用プロセッサはマイクロプロセッサであり得るが、代替で、プロセッサは任意の従来のプロセッサ、コントローラ、マイクロコントローラ、もしくはステートマシンであり得る。プロセッサはまた、例えば、ＤＳＰとマクロプロセッサ、複数のマイクロプロセッサ、ＤＳＰコアに結合した１つもしくは複数のマイクロプロセッサ、その他の上記構成の組み合わせといったコンピューティングデバイスの組み合わせとしても実装され得る。
【００８０】
本明細書で開示される例に関係して説明される方法もしくはアルゴリズムのステップは、直接的にハードウェアに、プロセッサによって実行されるソフトウェアモジュールに、または、それら二つの組み合わせに組み込まれ得る。ソフトウェアモジュールは、ランダムアクセスメモリ（ＲＡＭ）、フラッシュメモリ、読み取り専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバブルディスク、ＣＤ−ＲＯＭ、または、任意の他の形態の記憶媒体に存在しうる。記憶媒体は、プロセッサが記憶媒体から情報を読み取り、記憶媒体に情報を書き込むことができるように、プロセッサに結合される。代替において、記憶媒体はプロセッサに一体化され得る。プロセッサおよび記憶媒体はＡＳＩＣに存在し得る。ＡＳＩＣはユーザ端末に存在し得る。代替において、プロセッサおよび記憶媒体は、個別コンポーネントとして、ユーザ端末に存在し得る。
【００８１】
１または複数の例示的な例において、説明された機能は、ハードウェア、ソフトウェア、ファームウェア、もしくはそれらのあらゆる組み合わせにインプリメントされ得る。ソフトウェアで実行された場合、その機能は、コンピュータ読み取り可能媒体上で１または複数の命令またはコードとして記憶または送信され得る。コンピュータ読み取り可能媒体は、コンピュータ記憶媒体と、ある場所から別の場所へのコンピュータプログラム転送を容易にする任意の媒体を含む通信媒体との両方を含む。記憶媒体はコンピュータによってアクセスされ得る任意の利用可能な非トランジトリな媒体であり得る。限定ではなく例として、そのようなコンピュータ読み取り可能媒体は、ＲＡＭ、ＲＯＭ、ＥＥＰＲＯＭ、ＣＤ−ＲＯＭもしくは他の光学ディスク記憶媒体、磁気ディスク記憶媒体もしくは他の磁気記憶デバイス、もしくは命令あるいはデータ構造の形態で望ましいプログラムコードを搬送もしくは格納するために使用され得、コンピュータによってアクセスされ得る任意の他の媒体を備え得る。さらに、任意の接続手段は適切にコンピュータ読み取り可能媒体と呼ばれる。例えば、同軸ケーブル、光ファイバーケーブル、ツイストペア、デジタル加入者回線（ＤＳＬ）、または赤外線、無線、マイクロ波などのワイヤレス技術を使用してウェブサイト、サーバ、もしくは他の遠隔ソースからソフトウェアが送信されると、この同軸ケーブル、光ファイバーケーブル、ツイストペア、ＤＳＬ、または赤外線、無線、マイクロ波などのワイヤレス技術は媒体の定義に含まれる。本明細書で使用されるようにディスク（Ｄｉｓｋ）およびディスク（Ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ）、フロッピー（登録商標）ディスク（ｆｌｏｐｐｙ（登録商標）  ｄｉｓｋ）およびブルーレイディスク（ｂｌｕ−ｒａｙ  ｄｉｓｃ）を含み、ここにおいてディスク（ｄｉｓｃ）がレーザを用いて光学的にデータを再現するのに対し、ディスク（ｄｉｓｋ）は大抵磁気的にデータを再現する。上記の組み合わせもまたコンピュータ可読媒体の範囲内に含まれる。
【００８２】
いずれの当業者も開示された方法及び装置を実施および使用することができるようにするために、上記の説明は提供される。これらの方法及び装置に対する様々な変更は当業者には容易に明らかであり、本明細書において定義された包括的な原理は、説明もしくは請求項の趣旨もしくは範囲を逸脱することなく他の例に適用され得る。このように、本願の請求項は、本明細書で示された例に制限されることを企図されないけれども、本明細書に開示された原理および新規な特徴と合致する最も広い範囲が与えられるべきである。
【００８３】
従って、本発明は以下の請求項に従うことを除いては限定されるべきでない。
【図１】
2013524690.tif 000005
【図２】
2013524690.tif 000006
【図３】
2013524690.tif 000007
【図４】
2013524690.tif 000008
【図５】
2013524690.tif 000009
【図６】
2013524690.tif 000010
【図７】
2013524690.tif 000011
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
ワイヤレス通信方法であって、
自動再送要求（ＡＲＱ）を使用して送信機デバイスから受信機デバイスへ先のフレームを送信することと、
前記受信機デバイスが、前記先のフレームの最後のスロットの前記受信機デバイスによる受信の前に正常に受信されたと前記先のフレームを肯定応答したかどうかを前記送信機デバイスで判断することと、
前記受信機デバイスが、前記先のフレームの前記最後のスロットの受信の前に前記受信機デバイスによって正常に受信されたとの前記先のフレームの肯定応答がないことに応じて、前記先のフレームの前記最後のスロットの前記受信機デバイスによる受信の後に正常に受信されたと前記先のフレームを肯定応答したかどうかを前記送信機デバイスで判断することと
を備えるワイヤレス通信方法。
【請求項２】
前記受信機デバイスが、前記先のフレームの前記最後のスロットの前記受信機デバイスによる前記受信の結果として正常に受信されたと前記先のフレームを肯定応答したという前記送信機デバイスでの判断に応じて前記先のフレームの再送をキャンセルすることと、
前記受信機デバイスが、前記先のフレームを正常に受信していないという前記送信機デバイスでの判断に応じて前記先のフレームの前記再送をスケジューリングすることと
をさらに備える請求項１に記載のワイヤレス通信方法。
【請求項３】
前記受信機デバイスが、前記先のフレームの前記最後のスロットの前記受信機デバイスによる前記受信の結果として正常に受信されたと前記先のフレームを肯定応答したという前記送信機デバイスでの判断に応じて前記先のフレームの再送を防ぐこと、
をさらに備える請求項１に記載のワイヤレス通信方法。
【請求項４】
前記受信機デバイスが、前記先のフレームの前記最後のスロットの前記受信機デバイスによる前記受信の結果として正常に受信されたと前記先のフレームを肯定応答したという前記送信機デバイスでの前記判断に応じて、前記受信機デバイスが正常に前記先のフレームを受信したことを前記送信機デバイスの上位レイヤにシグナリングすること、をさらに備える請求項３に記載のワイヤレス通信方法。
【請求項５】
ＡＲＱを使用して前記送信機デバイスから前記受信機デバイスへ後のフレームを送信することと、
ＡＲＱ肯定応答パラメータをネゴシエートすることと
をさらに備え、
前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの前記受信機デバイスによる受信に対応し、前記後のフレームが時間において前記先のフレームに続き、前記肯定応答位置の１つまたは複数が前記先のフレームの正常な受信を肯定応答するために確保される前記後のフレームの受信に対応し、前記肯定応答位置の１つまたは複数が前記後のフレームの正常な受信を肯定応答するために確保される前記後のフレームの受信に対応し、それぞれのフレームは複数のＮ個のスロットを備え、Ｎ個は予め決められた数であり、前記先のフレーム及び前記後のフレームの両方の正常な受信の肯定応答が前記後のフレームの受信に対応する特定の肯定応答位置において指し示される請求項４に記載のワイヤレス通信方法。
【請求項６】
ＡＲＱを使用して前記送信機デバイスから前記受信機デバイスへ後のフレームを送信すること、
をさらに備え、
前記後のフレームは前記先のフレームに直ちに続く請求項１に記載のワイヤレス通信方法。
【請求項７】
前記受信機デバイスが、前記先のフレームの前記最後のスロットの前記受信機デバイスによる前記受信の結果として正常に受信されたと前記先のフレームを肯定応答したという前記送信機デバイスでの前記判断に応じて、前記受信機デバイスが正常に前記先のフレームを受信したことを前記送信機デバイスの無線リンクプロトコル（ＲＬＰ）レイヤにシグナリングすること
をさらに備える請求項１に記載のワイヤレス通信方法。
【請求項８】
ＡＲＱを使用して前記送信機デバイスから前記受信機デバイスへ後のフレームを送信することと、
肯定応答チャネルの肯定応答位置が利用可能なことを指し示すＡＲＱ肯定応答パラメータをネゴシエートすることと
をさらに備え、
前記ＡＲＱ肯定応答パラメータは、
前記先のフレームの正常な受信を肯定応答するために確保された１つまたは複数の位置を指し示す第１のマスクと、
前記後のフレームの正常な受信を肯定応答するために確保された１つまたは複数の位置を指し示す第２のマスクと
を含み、
前記先のフレームの正常な受信を肯定応答するために確保された前記１つまたは複数の位置は前記後のフレームの正常な受信を肯定応答するために確保された前記１つまたは複数の位置と重ならない請求項１に記載のワイヤレス通信方法。
【請求項９】
ＡＲＱを使用して前記送信機デバイスから前記受信機デバイスへ後のフレームを送信すること
をさらに備え、
前記先のフレームと前記後のフレームの少なくとも１つが音声情報もしくは映像情報を含む請求項１に記載のワイヤレス通信方法。
【請求項１０】
前記送信機デバイスは移動局であり、前記移動局は前記音声情報もしくは映像情報をレンダリングする請求項９に記載のワイヤレス通信方法。
【請求項１１】
ワイヤレス通信装置であって、
データをワイヤレスデバイスへ送信するように構成された送信機と、
データを前記ワイヤレスデバイスから受信するように構成された受信機と、
前記送信機及び前記受信機に結合されたプロセッサと
を備え、
前記プロセッサが、
前記送信機に、自動再送要求（ＡＲＱ）を使用して前記ワイヤレスデバイスへ先のフレームを送信させるように、
前記ワイヤレスデバイスが、前記先のフレームの最後のスロットの前記ワイヤレスデバイスによる受信の前に正常に受信されたと前記先のフレームを肯定応答したかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答したかどうかを判断するように
構成されるワイヤレス通信装置。
【請求項１２】
前記プロセッサは、
前記ワイヤレスデバイスが、前記先のフレームの前記最後のスロットの前記ワイヤレスデバイスによる前記受信の結果として正常に受信されたと前記先のフレームを肯定応答したという前記プロセッサでの判断に応じて前記先のフレームの再送を防ぐように、
前記ワイヤレスデバイスが前記先のフレームを正常に受信していないという判断に応じて、前記先のフレームの前記再送をスケジューリングするように
さらに構成された請求項１１に記載のワイヤレス通信装置。
【請求項１３】
前記プロセッサが、前記ワイヤレスデバイスが、前記先のフレームの前記最後のスロットの前記ワイヤレスデバイスによる前記受信の結果として正常に受信されたと前記先のフレームを肯定応答したという前記判断に応じて、前記ワイヤレスデバイスが前記先のフレームを正常に受信したことを上位レイヤにシグナリングするようにさらに構成された請求項１２に記載のワイヤレス通信装置。
【請求項１４】
前記プロセッサは、
前記送信機に、ＡＲＱを使用して前記ワイヤレスデバイスへ後のフレームを送信させるように、
ＡＲＱ肯定応答パラメータを前記ワイヤレスデバイスとネゴシエートするように
をさらに構成され、
前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの前記ワイヤレスデバイスによる受信に対応し、前記後のフレームが時間において前記先のフレームに続き、前記肯定応答位置の１つまたは複数が前記先のフレームの正常な受信を肯定応答するために確保される前記後のフレームの前記ワイヤレスデバイスによる受信に対応し、前記肯定応答位置の１つまたは複数が前記後のフレームの正常な受信を肯定応答するために確保される前記後のフレームの前記ワイヤレスデバイスによる受信に対応し、それぞれのフレームは複数のＮ個のスロットを備え、Ｎ個は予め決められた数であり、前記先のフレーム及び前記後のフレームの両方の正常な受信の前記ワイヤレスデバイスによる肯定応答が前記後のフレームの受信に対応する特定の肯定応答位置において指し示される請求項１３に記載のワイヤレス通信装置。
【請求項１５】
前記プロセッサは、前記送信機に、ＡＲＱを使用して前記ワイヤレスデバイスへ後のフレームを送信させるようにさらに構成され、前記後のフレームは前記先のフレームに直ちに続く請求項１１に記載のワイヤレス通信装置。
【請求項１６】
前記プロセッサが、前記ワイヤレスデバイスが前記先のフレームの前記最後のスロットの前記ワイヤレスデバイスによる前記受信の結果として正常に受信されたと前記先のフレームを肯定応答したという前記判断に応じて、前記ワイヤレスデバイスが正常に前記先のフレームを受信したことを無線リンクプロトコル（ＲＬＰ）レイヤにシグナリングするようにさらに構成された請求項１１に記載のワイヤレス通信装置。
【請求項１７】
それぞれのフレームは１６個のスロットを備える請求項１１に記載のワイヤレス通信装置。
【請求項１８】
前記プロセッサが、
前記送信機に、ＡＲＱを使用して前記ワイヤレスデバイスへ後のフレームを送信させるように、
ＡＲＱ肯定応答パラメータをネゴシエートするように
さらに構成され、
前記ＡＲＱ肯定応答パラメータは、
前記先のフレームの正常な受信を肯定応答するために確保された１つまたは複数の位置を指し示す第１のマスクと、
前記後のフレームの正常な受信を肯定応答するために確保された１つまたは複数の位置を指し示す第２のマスクと
を含み、
前記先のフレームの正常な受信を肯定応答するために確保された前記１つまたは複数の位置は前記後のフレームの正常な受信を肯定応答するために確保された前記１つまたは複数の位置と重ならない請求項１１に記載のワイヤレス通信装置。
【請求項１９】
前記先のフレーム及び前記後のフレームの少なくとも１つが音声情報もしくは映像情報を含む請求項１１に記載のワイヤレス通信装置。
【請求項２０】
前記プロセッサが前記音声情報もしくは前記映像情報のレンダリングを開始するようにさらに構成される請求項１９に記載のワイヤレス通信装置。
【請求項２１】
自動再送要求（ＡＲＱ）を使用して送信機デバイスから送信された先のフレームを受信機デバイスによって受信することと、
前記先のフレームが前記先のフレームの最後のスロットの前記受信機デバイスによる受信の前に正常に受信されたかどうかを前記受信機デバイスで判断することと、
前記受信機デバイスが前記先のフレームの前記最後のスロットの前記受信機デバイスによる受信の前に前記先のフレームを正常に受信しないことに応じて、及び前記受信機デバイスが前記先のフレームの前記最後のスロットの前記受信機デバイスによる受信の後に前記先のフレームを正常に受信することに応じて、前記受信機デバイスから前記送信機デバイスに前記先のフレームの肯定応答を送信することと
を備えるワイヤレス通信方法。
【請求項２２】
ＡＲＱを使用して前記送信機デバイスから送信された後のフレームを受信することと、
ＡＲＱ肯定応答パラメータを前記送信機デバイスとネゴシエートすることと
をさらに備え、
前記ＡＲＱ肯定応答パラメータは肯定応答チャネルの肯定応答位置が利用可能なことを指し示し、それぞれの肯定応答位置は前記先のフレームの正常な受信を肯定応答するために、もしくは前記後のフレームの正常な受信を肯定応答するために確保される前記後のフレームの前記受信機デバイスによる受信に対応し、前記後のフレームが時間において前記先のフレームに続き、前記肯定応答位置の１つまたは複数が前記先のフレームの正常な受信を肯定応答するために確保される前記後のフレームの前記受信機デバイスによる受信に対応し、前記肯定応答位置の１つまたは複数は前記後のフレームの正常な受信を肯定応答するために確保される前記後のフレームの前記受信機デバイスによる受信に対応し、それぞれのフレームは複数のＮ個のスロットを備え、Ｎ個は予め決められた数であり、前記先のフレーム及び前記後のフレームの両方の前記受信機デバイスによる正常な受信の肯定応答が、前記後のフレームの受信に対応する特定の肯定応答位置において指し示される請求項２１に記載のワイヤレス通信方法。
【請求項２３】
ＡＲＱを使用して前記送信機デバイスから送信された後のフレームを受信すること
をさらに備え、
前記後のフレームは前記先のフレームに直ちに続く請求項２１に記載のワイヤレス通信方法。
【請求項２４】
それぞれのフレームは１６個のスロットを備える請求項２１に記載のワイヤレス通信方法。
【請求項２５】
ＡＲＱを使用して前記送信機デバイスから送信された後のフレームを受信することと、
ＡＲＱ肯定応答パラメータをネゴシエートすることと
をさらに備え、
前記ＡＲＱ肯定応答パラメータは、
前記先のフレームの正常な受信を肯定応答するために確保された１つまたは複数の位置を指し示す第１のマスクと、
前記後のフレームの正常な受信を肯定応答するために確保された１つまたは複数の位置を指し示す第２のマスクと
を含み、
前記先のフレームの正常な受信を肯定応答するために確保された前記１つまたは複数の位置は前記後のフレームの正常な受信を肯定応答するために確保された前記１つまたは複数の位置と重ならない請求項２１に記載のワイヤレス通信方法。
【請求項２６】
ＡＲＱを使用して送信された後のフレームを受信することをさらに備え、
前記先のフレーム及び前記後のフレームの少なくとも１つが音声情報もしくは映像情報を含む請求項２１に記載のワイヤレス通信方法。
【請求項２７】
前記音声情報もしくは映像情報を前記受信機デバイスによってレンダリングすることをさらに備え、前記受信機デバイスは移動局であり、前記送信機デバイスはトランシーバ基地局である請求項２６に記載のワイヤレス通信方法。
【請求項２８】
ワイヤレス通信装置であって、
データをワイヤレスデバイスに送信するように構成された送信機と、
データを前記ワイヤレスデバイスから受信するように構成された受信機と、
前記送信機及び前記受信機に結合されたプロセッサと
を備え、
前記プロセッサが、
前記受信機に、自動再送要求（ＡＲＱ）を使用して前記ワイヤレスデバイスから送信された先のフレームを受信させるように、
前記先のフレームが前記先のフレームの最後のスロットの受信の前に正常に受信されたかどうかを判断するように、
前記送信機に、前記先のフレームの前記最後のスロットの受信の前に前記先のフレームを正常に受信しないことに応じて、及び前記先のフレームの前記最後のスロットの受信の後に前記先のフレームを正常に受信することに応じて、前記ワイヤレスデバイスに前記先のフレームの肯定応答を送信させるように
構成されるワイヤレス通信装置。
【請求項２９】
前記プロセッサは、
前記受信機に、ＡＲＱを使用して前記ワイヤレスデバイスから送信された後のフレームを受信させるように、
ＡＲＱ肯定応答パラメータを前記ワイヤレスデバイスとネゴシエートするように
さらに構成され、
前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの受信に対応し、前記後のフレームが時間において前記先のフレームに続き、前記肯定応答位置の１つまたは複数は前記先のフレームの正常な受信を肯定応答するために確保される前記後のフレームの受信に対応し、前記肯定応答位置の１つまたは複数は前記後のフレームの正常な受信を肯定応答するために確保される前記後のフレームの受信に対応し、それぞれのフレームは複数のＮ個のスロットを備え、Ｎ個は予め決められた数であり、前記先のフレーム及び前記後のフレームの両方の正常な受信の肯定応答が、前記後のフレームの受信に対応する特定の肯定応答位置において指し示される請求項２８に記載のワイヤレス通信装置。
【請求項３０】
前記プロセッサは、前記受信機に、ＡＲＱを使用して前記ワイヤレスデバイスから送信された後のフレームを受信することを可能にさせるようにさらに構成され、前記後のフレームは前記先のフレームに直ちに続く請求項２８に記載のワイヤレス通信装置。
【請求項３１】
それぞれのフレームは１６個のスロットを備える請求項２８に記載のワイヤレス通信装置。
【請求項３２】
前記受信機、前記プロセッサが、
前記受信機に、ＡＲＱを使用して前記ワイヤレスデバイスから送信された後のフレームを受信させるように、
ＡＲＱ肯定応答パラメータを前記ワイヤレスデバイスとネゴシエートするように
さらに構成され、
前記ＡＲＱ肯定応答パラメータは、
前記先のフレームの正常な受信を肯定応答するために確保された１つまたは複数の位置を指し示す第１のマスクと、
前記後のフレームの正常な受信を肯定応答するために確保された１つまたは複数の位置を指し示す第２のマスクと
を含み、
前記先のフレームの正常な受信を肯定応答するために確保された前記１つまたは複数の位置は前記後のフレームの正常な受信を肯定応答するために確保された前記１つまたは複数の位置と重ならない請求項２８に記載のワイヤレス通信装置。
【請求項３３】
前記プロセッサが、前記受信機に、ＡＲＱを使用して前記ワイヤレスデバイスから送信された後のフレームを受信させるようにさらに構成され、
前記先のフレーム及び前記後のフレームの少なくとも１つが音声情報もしくは映像情報を含む請求項２８に記載のワイヤレス通信装置。
【請求項３４】
前記プロセッサは、前記音声情報もしくは映像情報をレンダリングするようにさらに構成され、前記プロセッサは移動局に含まれ、前記ワイヤレスデバイスはトランシーバ基地局である、請求項３３に記載のワイヤレス通信装置。
【請求項３５】
少なくとも１つの機械読み取り可能メモリを備える製造品であって、前記少なくとも１つの機械読み取り可能メモリは機械実行可能コードを格納し、前記機械実行可能コードは、
自動再送要求（ＡＲＱ）を使用して送信機デバイスから受信機デバイスへ先のフレームを送信することと、
前記受信機デバイスが、前記先のフレームの最後のスロットの前記受信機デバイスによる受信の前に正常に受信されたと前記先のフレームを肯定応答したかどうかを前記送信機デバイスで判断することと、
前記受信機デバイスが、前記先のフレームの前記最後のスロットの受信の前に前記受信機デバイスによって正常に受信されたとの前記先のフレームの肯定応答がないことに応じて、前記先のフレームの前記最後のスロットの前記受信機デバイスによる受信の後に正常に受信されたと前記先のフレームを肯定応答したかどうかを前記送信機デバイスで判断することと
のための命令を備える製造品。
【請求項３６】
少なくとも１つの機械読み取り可能メモリを備える製造品であって、前記少なくとも１つの機械読み取り可能メモリは機械実行可能コードを格納し、前記機械実行可能コードは、
自動再送要求（ＡＲＱ）を使用して送信機デバイスから送信された先のフレームを受信機デバイスによって受信することと、
前記先のフレームが前記先のフレームの最後のスロットの前記受信機デバイスによる受信の前に前記先のフレームが正常に受信されたかどうかを前記受信機デバイスで判断することと、
前記受信機デバイスが前記先のフレームの前記最後のスロットの前記受信機デバイスによる受信の前に前記先のフレームを正常に受信しないことに応じて、及び前記受信機デバイスが前記先のフレームの前記最後のスロットの前記受信機デバイスによる受信の後に前記先のフレームを正常に受信することに応じて、前記受信機デバイスから前記送信機デバイスへ前記先のフレームの肯定応答を送信することと
のための命令を備える製造品。
【請求項３７】
ワイヤレス通信装置であって、
データをワイヤレスデバイスに送信するための手段と、
データを前記ワイヤレスデバイスから受信するための手段と、
送信するための前記手段及び受信するための前記手段に結合された処理するための手段と
を備え、
受信するための前記手段、送信するための前記手段、及び処理するための前記手段は、
自動再送要求（ＡＲＱ）を使用して前記ワイヤレスデバイスへ先のフレームを送信するように、
前記ワイヤレスデバイスが、前記先のフレームの最後のスロットの前記ワイヤレスデバイスによる受信の前に正常に受信されたと前記先のフレームを肯定応答したかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答したかどうかを判断するように
構成されるワイヤレス通信装置。
【請求項３８】
ワイヤレス通信装置であって、
データをワイヤレスデバイスに送信するための手段と、
データを前記ワイヤレスデバイスから受信するための手段と、
送信するための前記手段及び受信するための前記手段に結合された処理するための手段と
を備え、
処理するための前記手段が、
自動再送要求（ＡＲＱ）を使用して前記ワイヤレスデバイスから送信された先のフレームを受信するように、
前記先のフレームが、前記先のフレームの最後のスロットの受信の前に正常に受信されたかどうかを判断するように、
前記先のフレームの前記最後のスロットの受信の前に前記先のフレームを正常に受信しないことに応じて、及び前記先のフレームの前記最後のスロットの受信の後に前記先のフレームを正常に受信することに応じて、送信するための前記手段を介して前記先のフレームの肯定応答を送信するように
構成されるワイヤレス通信装置。
【請求項３９】
ワイヤレス通信装置であって、
送信機及び受信機に結合された少なくとも１つのプロセッサを備え、前記プロセッサが、
自動再送要求（ＡＲＱ）を使用してワイヤレスデバイスへ先のフレームを送信するように、
前記ワイヤレスデバイスが、前記先のフレームの最後のスロットの前記ワイヤレスデバイスによる受信の前に正常に受信されたと前記先のフレームを肯定応答したかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答したかどうかを判断するように
構成されるワイヤレス通信装置。
【請求項４０】
ワイヤレス通信装置であって、
送信機及び受信機に結合された少なくとも１つのプロセッサを備え、前記プロセッサが、
自動再送要求（ＡＲＱ）を使用してワイヤレスデバイスから送信された先のフレームを受信するように、
前記先のフレームが、前記先のフレームの最後のスロットの受信の前に正常に受信されたかどうかを判断するように、
前記先のフレームの前記最後のスロットの受信の前に前記先のフレームを正常に受信しないことに応じて、及び前記先のフレームの前記最後のスロットの受信の後に前記先のフレームを正常に受信することに応じて、前記ワイヤレスデバイスへ前記先のフレームの肯定応答を送信するように
構成されるワイヤレス通信装置。
【請求項４１】
ワイヤレス通信装置であって、
自動再送要求（ＡＲＱ）を使用して送信機デバイスから受信機デバイスへ第１のフレーム及び第２のフレームを送信することと、前記第２のフレームは時間において前記第１のフレームに直ちに続き、
前記受信機デバイスが前記第１のフレームの時間において最後のスロット以外の前記第１のフレームの全てのスロットから前記第１のフレームを復号することができないことに応じて、及び前記受信機デバイスが前記第１のフレームの前記時間において前記最後のスロットを受信した結果として前記第１のフレームを肯定応答することに応じて、前記第２のフレームのスロットの前記受信機デバイスによる受信の間、前記第１のフレームの再送を防ぐことと
を備えるワイヤレス通信方法。
【手続補正２】
【補正対象書類名】明細書
【補正対象項目名】０００２
【補正方法】変更
【補正の内容】
【０００２】
本開示は自動再送要求（ＡＲＱ）の方法を使用する通信に関連する。
【手続補正３】
【補正対象書類名】明細書
【補正対象項目名】００２９
【補正方法】変更
【補正の内容】
【００２９】
図１は、参照番号１０２Ａから１０２Ｇまではセルを表し、参照番号１６０Ａから１６０Ｇまでは基地局を表し、ならびに参照番号１０６Ａから１０６Ｇまではアクセス端末を表す、通信システム１００の簡略化された機能的なブロック図である。上記で述べられたように基地局コントローラ１３０は、地理的領域に渡って分散された全ての基地局１６０とネットワーク１０４の間にインタフェースを提供するために使用され得る。説明を容易にするために、１つの基地局１６０のみが表示される。地理的領域は概して、セル１０２として知られるより小さな領域に再分割される。それぞれの基地局１６０はその各々のセル内の全ての加入者局１０６にサービスするように構成される。いくつかの高いトラフィックアプリケーションにおいて、セル１０２はそれぞれのセクタにサービスする基地局１６０を有するセクタに分割され得る。それぞれの加入者局１０６Ａ−Ｇは、基地局コントローラ１３０の制御に基づいて１つまたは複数の基地局１６０Ａ−Ｇを通じてネットワーク１０４にアクセスし得る、もしくは他の加入者局１０６と通信し得る。
【手続補正４】
【補正対象書類名】明細書
【補正対象項目名】００８３
【補正方法】変更
【補正の内容】
【００８３】
以下に、本願出願当初の特許請求の範囲に記載された発明を付記する。
［Ｃ１］
ワイヤレス通信方法であって、
自動再送要求（ＡＲＱ）を使用して送信機から受信機へ先のフレームを送信することと、
前記受信機が、前記先のフレームの最後のスロットの前記受信機による受信の前に正常に受信したと前記先のフレームを肯定応答しているかどうかを前記送信機で判断することと、
前記受信機が、前記先のフレームの前記最後のスロットの受信の前に前記受信機によって正常に受信されたとの前記先のフレームの肯定応答がないことに応じて、前記先のフレームの前記最後のスロットの前記受信機による受信の後に正常に受信したと前記先のフレームを肯定応答しているかどうかを前記送信機で判断することと
のステップを備えるワイヤレス通信方法。
［Ｃ２］
前記受信機が、前記先のフレームの前記最後のスロットの前記受信機による前記受信の結果として正常に受信されたと前記先のフレームを肯定応答しているという前記送信機での判断に応じて先のパケットの再送をキャンセルすることと、
前記受信機が前記先のフレームを正常に受信していないという前記送信機での判断に応じて前記先のパケットの再送をスケジューリングすることと
をさらに備えるＣ１に記載のワイヤレス通信方法。
［Ｃ３］
前記受信機が、前記先のフレームの前記最後のスロットの前記受信機による前記受信の結果として正常に受信されたと前記先のフレームを肯定応答しているという前記送信機での判断に応じて先のパケットの再送を防ぐこと、
をさらに備えるＣ１に記載のワイヤレス通信方法。
［Ｃ４］
前記受信機が、前記先のフレームの前記最後のスロットの前記受信機による前記受信の結果として正常に受信されたと前記先のフレームを肯定応答しているという前記送信機での前記判断に応じて、前記受信機が正常に前記先のフレームを受信していることを前記送信機の上位レイヤにシグナリングすること、をさらに備えるＣ３に記載のワイヤレス通信方法。
［Ｃ５］
ＡＲＱを使用して前記送信機から前記受信機へ後のフレームを送信することと、
ＡＲＱ肯定応答パラメータをネゴシエートすることと
をさらに備え、
前記先のフレーム及び前記後のフレームの両方の正常な受信の肯定応答が前記後のフレームの受信に対応する位置においてなされ得るように、前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの前記受信機による受信に対応し、前記後のフレームが時間において前記先のフレームに続き、前記肯定応答位置の１つまたは複数が前記先のフレームの正常な受信を肯定応答するために確保される前記後のフレームの受信に対応し、前記肯定応答位置の１つまたは複数が前記後のフレームの正常な受信を肯定応答するために確保される前記後のフレームの受信に対応し、それぞれのフレームは複数のＮ個のスロットを備え、Ｎ個は予め決められた数であるＣ４に記載のワイヤレス通信方法。
［Ｃ６］
ＡＲＱを使用して前記送信機から前記受信機へ後のフレームを送信すること、
をさらに備え、
前記後のフレームは前記先のフレームに直ちに続くＣ１に記載のワイヤレス通信方法。
［Ｃ７］
前記受信機が、前記先のフレームの前記最後のスロットの前記受信機による前記受信の結果として正常に受信されたと前記先のフレームを肯定応答しているという前記送信機での前記判断に応じて、前記受信機が正常に前記先のフレームを受信していることを前記送信機の無線リンクプロトコル（ＲＬＰ）レイヤにシグナリングすること
をさらに備えるＣ１に記載のワイヤレス通信方法。
［Ｃ８］
ＡＲＱを使用して前記送信機から前記受信機へ後のフレームを送信することと、
肯定応答チャネルの肯定応答位置が利用可能なことを指し示すＡＲＱ肯定応答パラメータをネゴシエートすることと
をさらに備え、
前記ＡＲＱ肯定応答パラメータは前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならないＣ１に記載のワイヤレス通信方法。
［Ｃ９］
ＡＲＱを使用して前記送信機から前記受信機へ後のフレームを送信すること
をさらに備え、
前記先のフレームと前記後のフレームの少なくとも１つのフレームが音声情報もしくは映像情報を搬送するＣ１に記載のワイヤレス通信方法。
［Ｃ１０］
前記方法は移動局で実行され、前記音声もしくは映像情報をレンダリングすることをさらに備えるＣ１に記載のワイヤレス通信方法。
［Ｃ１１］
ワイヤレス通信装置であって、
データをワイヤレスデバイスへ送信するように構成された送信機と、
データを前記ワイヤレスデバイスから受信するように構成された受信機と、
前記送信機及び前記受信機に結合されたプロセッサと
を備え、
前記装置が、
自動再送要求（ＡＲＱ）を使用して前記ワイヤレス通信装置から前記ワイヤレスデバイスへ先のフレームを送信するように、
前記ワイヤレスデバイスが、前記先のフレームの最後のスロットの前記ワイヤレスデバイスによる受信の前に正常に受信されたと前記先のフレームを肯定応答しているかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答しているかどうかを前記ワイヤレス通信装置で判断するように
構成されるワイヤレス通信装置。
［Ｃ１２］
前記装置は、
前記ワイヤレスデバイスが、前記先のフレームの前記最後のスロットの前記ワイヤレスデバイスによる前記受信の結果として正常に受信されたと前記先のフレームを肯定応答しているという前記ワイヤレス通信装置での判断に応じて先のパケットの再送を防ぐように、
前記ワイヤレスデバイスが前記先のフレームを正常に受信していないという判断に応じて前記先のパケットの再送をスケジューリングするように
さらに構成されたＣ１１に記載のワイヤレス通信装置。
［Ｃ１３］
前記プロセッサが、前記ワイヤレスデバイスが、前記先のフレームの前記最後のスロットの前記ワイヤレスデバイスによる前記受信の結果として正常に受信されたと前記先のフレームを肯定応答しているという前記判断に応じて、前記ワイヤレスデバイスが前記先のフレームを正常に受信していることを前記ワイヤレス通信装置の上位レイヤにシグナリングすることを実行するようにさらに構成されたＣ１２に記載のワイヤレス通信装置。
［Ｃ１４］
前記装置は、
ＡＲＱを使用して前記ワイヤレス通信装置から前記ワイヤレスデバイスへ後のフレームを送信するように、
ＡＲＱ肯定応答パラメータを前記ワイヤレスデバイスとネゴシエートするように
をさらに構成され、
前記ワイヤレスデバイスが前記先のフレーム及び前記後のフレームの両方の正常な受信を、前記後のフレームの受信に対応する位置において肯定応答し得るように、前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの前記ワイヤレスデバイスによる受信に対応し、前記後のフレームが時間において前記先のフレームに続き、前記肯定応答位置の１つまたは複数が前記先のフレームの正常な受信を肯定応答するために確保される前記後のフレームの前記ワイヤレスデバイスによる受信に対応し、前記肯定応答位置の１つまたは複数が前記後のフレームの正常な受信を肯定応答するために確保される前記後のフレームの前記ワイヤレスデバイスによる受信に対応し、それぞれのフレームは複数のＮ個のスロットを備え、Ｎ個は予め決められた数であるＣ１３に記載のワイヤレス通信装置。
［Ｃ１５］
前記装置はＡＲＱを使用して前記ワイヤレス通信装置から前記ワイヤレスデバイスへ後のフレームを送信するようにさらに構成され、前記後のフレームは前記先のフレームに直ちに続くＣ１１に記載のワイヤレス通信装置。
［Ｃ１６］
前記プロセッサが、前記ワイヤレスデバイスが前記先のフレームの最後のスロットの前記ワイヤレスデバイスによる前記受信の結果として正常に受信されたと前記先のフレームを肯定応答しているという前記判断に応じて、前記ワイヤレスデバイスが正常に前記先のフレームを受信していることを前記ワイヤレス通信装置の無線リンクプロトコル（ＲＬＰ）レイヤにシグナリングするようにさらに構成されたＣ１１に記載のワイヤレス通信装置。
［Ｃ１７］
それぞれのフレームは１６個のスロットを備えるＣ１１に記載のワイヤレス通信装置。
［Ｃ１８］
前記装置が、
ＡＲＱを使用して前記ワイヤレス通信装置から前記ワイヤレスデバイスへ後のフレームを送信するように、
ＡＲＱ肯定応答パラメータをネゴシエートするように
さらに構成され、
前記ＡＲＱ肯定応答パラメータは前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならないＣ１１に記載のワイヤレス通信装置。
［Ｃ１９］
前記先のフレーム及び前記後のフレームの少なくとも１つのフレームが音声情報もしくは映像情報を搬送するＣ１１に記載のワイヤレス通信装置。
［Ｃ２０］
前記装置が前記音声もしくは映像情報をレンダリングするようにさらに構成されるＣ１９に記載のワイヤレス通信装置。
［Ｃ２１］
自動再送要求（ＡＲＱ）を使用して送信機から送信された先のフレームを受信機によって受信することと、
前記先のフレームが前記先のフレームの最後のスロットの前記受信機による受信の前に正常に受信されたかどうかを前記受信機で判断することと、
前記受信機が（１）前記先のフレームの前記最後のスロットの前記受信機による受信の前に前記先のフレームを正常に受信しないこと、及び（２）前記先のフレームの前記最後のスロットの前記受信機による受信の後に前記先のフレームを正常に受信すること、に応じて、前記受信機から前記送信機に前記先のフレームの肯定応答を送信することと
のステップを備えるワイヤレス通信方法。
［Ｃ２２］
ＡＲＱを使用して前記送信機から送信された後のフレームを受信することと、
ＡＲＱ肯定応答パラメータを前記送信機とネゴシエートすることと
をさらに備え、
前記受信機が、前記先のフレーム及び前記後のフレームの両方の正常な受信を、前記後のフレームの受信に対応する位置において肯定応答し得るように、前記ＡＲＱ肯定応答パラメータは肯定応答チャネルの肯定応答位置が利用可能なことを指し示し、それぞれの肯定応答位置は前記先のフレームの正常な受信を肯定応答するために、もしくは前記後のフレームの正常な受信を肯定応答するために確保される前記後のフレームの前記受信機による受信に対応し、前記後のフレームが時間において前記先のフレームに続き、前記肯定応答位置の１つまたは複数が前記先のフレームの正常な受信を肯定応答するために確保される前記後のフレームの前記受信機による受信に対応し、前記肯定応答位置の１つまたは複数は前記後のフレームの正常な受信を肯定応答するために確保される前記後のフレームの前記受信機による受信に対応し、それぞれのフレームは複数のＮ個のスロットを備え、Ｎ個は予め決められた数であるＣ２１に記載のワイヤレス通信方法。
［Ｃ２３］
ＡＲＱを使用して前記送信機から送信された後のフレームを受信すること
をさらに備え、
前記後のフレームは前記先のフレームに直ちに続くＣ２１に記載のワイヤレス通信方法。
［Ｃ２４］
それぞれのフレームは１６個のスロットを備えるＣ２１に記載のワイヤレス通信方法。
［Ｃ２５］
ＡＲＱを使用して前記送信機から送信された後のフレームを受信することと、
ＡＲＱ肯定応答パラメータをネゴシエートすることと
をさらに備え、
前記ＡＲＱ肯定応答パラメータは、前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならないＣ２１に記載のワイヤレス通信方法。
［Ｃ２６］
ＡＲＱを使用して送信された後のフレームを受信することをさらに備え、
前記先のフレーム及び前記後のフレームの少なくとも１つのフレームが音声情報もしくは映像情報を搬送するＣ２１に記載のワイヤレス通信方法。
［Ｃ２７］
前記音声もしくは映像情報を前記受信機によってレンダリングすることをさらに備え、前記受信機は移動局であり、前記送信機はトランシーバ基地局であるＣ２６に記載のワイヤレス通信方法。
［Ｃ２８］
ワイヤレス通信装置であって、
データをワイヤレスデバイスに送信するように構成された送信機と、
データを前記ワイヤレスデバイスから受信するように構成された受信機と、
前記送信機及び前記受信機に結合されたプロセッサと
を備え、
前記装置が、
自動再送要求（ＡＲＱ）を使用して前記ワイヤレスデバイスから送信された先のフレームを受信するように、
前記先のフレームが前記先のフレームの最後のスロットの受信の前に正常に受信されたかどうかを判断するように
（１）前記先のフレームの前記最後のスロットの受信の前に前記先のフレームを正常に受信しないこと、及び（２）前記先のフレームの前記最後のスロットの受信の後に前記先のフレームを正常に受信すること、に応じて、前記ワイヤレスデバイスに前記先のフレームの肯定応答を送信するように
構成されるワイヤレス通信装置。
［Ｃ２９］
前記装置は、
ＡＲＱを使用して前記ワイヤレスデバイスから送信された後のフレームを受信するように、
ＡＲＱ肯定応答パラメータを前記ワイヤレスデバイスとネゴシエートするように
さらに構成され、
前記ワイヤレス通信装置が、前記先のフレーム及び前記後のフレームの両方の正常な受信を、前記後のフレームの受信に対応する位置において肯定応答し得るように、前記ＡＲＱ肯定応答パラメータは肯定応答チャネルの肯定応答位置が利用可能なことを指し示し、それぞれの肯定応答位置は、前記先のフレームの正常な受信を肯定応答するために、もしくは前記後のフレームの正常な受信を肯定応答するために確保される前記後のフレームの受信に対応し、前記後のフレームが時間において前記先のフレームに続き、前記肯定応答位置の１つまたは複数は前記先のフレームの正常な受信を肯定応答するために確保される前記後のフレームの前記ワイヤレス通信装置による受信に対応し、前記肯定応答位置の１つまたは複数は前記後のフレームの正常な受信を肯定応答するために確保される前記後のフレームの前記ワイヤレス通信装置による受信に対応し、それぞれのフレームは複数のＮ個のスロットを備え、Ｎ個は予め決められた数であるＣ２８に記載のワイヤレス通信装置。
［Ｃ３０］
前記装置はＡＲＱを使用して前記ワイヤレスデバイスから送信された後のフレームを受信するようにされに構成され、前記後のフレームは前記先のフレームに直ちに続くＣ２８に記載のワイヤレス通信装置。
［Ｃ３１］
それぞれのフレームは１６個のスロットを備えるＣ２８に記載のワイヤレス通信装置。
［Ｃ３２］
前記受信機、前記装置が、
ＡＲＱを使用して前記ワイヤレスデバイスから送信された後のフレームを受信するように、
ＡＲＱ肯定応答パラメータを前記ワイヤレスデバイスとネゴシエートするように
さらに構成され、
前記ＡＲＱ肯定応答パラメータは、前記先のフレームの正常な受信を肯定応答するために確保された１つまたは複数の位置を指し示す第１のマスク、及び前記後のフレームの正常な受信を肯定応答するために確保された１つまたは複数の位置を指し示す第２のマスクを含み、前記先のフレームの正常な受信を肯定応答するために確保された前記１つまたは複数の位置は前記後のフレームの正常な受信を肯定応答するために確保された前記１つまたは複数の位置と重ならないＣ２８に記載のワイヤレス通信装置。
［Ｃ３３］
前記装置がＡＲＱを使用して前記ワイヤレスデバイスから送信された後のフレームを受信するようにさらに構成され、
前記先のフレーム及び前記後のフレームの少なくとも１つのフレームが音声情報もしくは映像情報を搬送するＣ２８に記載のワイヤレス通信装置。
［Ｃ３４］
前記装置は、前記音声もしくは映像情報をレンダリングするようにさらに構成され、前記ワイヤレス通信装置は移動局であり、前記ワイヤレスデバイスはトランシーバ基地局である、Ｃ３３に記載のワイヤレス通信装置。
［Ｃ３５］
少なくとも１つの機械読み取り可能メモリを備える製造品であって、前記メモリは機械実行可能コードを格納し、前記機械実行可能コードは、
自動再送要求（ＡＲＱ）を使用して送信機から受信機へ先のフレームを送信することと、
前記受信機が、前記先のフレームの最後のスロットの前記受信機による受信の前に正常に受信されたと前記先のフレームを肯定応答しているかどうかを前記送信機で判断することと、
前記受信機が、前記先のフレームの前記最後のスロットの受信の前に前記受信機によって正常に受信されたとの前記先のフレームの肯定応答がないことに応じて、前記先のフレームの前記最後のスロットの前記受信機による受信の後に正常に受信されたと前記先のフレームを肯定応答しているかどうかを前記送信機で判断することと
を備えるステップを実行するための命令を備える、製造品。
［Ｃ３６］
少なくとも１つの機械読み取り可能メモリを備える製造品であって、前記メモリは機械実行可能コードを格納し、前記機械実行可能コードは、
自動再送要求（ＡＲＱ）を使用して送信機から送信された先のフレームを受信機によって受信することと、
前記先のフレームが前記先のフレームの最後のスロットの前記受信機による受信の前に前記先のフレームが正常に受信されたかどうかを前記受信機で判断することと、
前記受信機が（１）前記先のフレームの前記最後のスロットの前記受信機による受信の前に前記先のフレームを正常に受信しないこと、及び（２）前記先のフレームの前記最後のスロットの前記受信機による受信の後に前記先のフレームを正常に受信すること、に応じて、前記受信機から前記送信機へ前記先のフレームの肯定応答を送信することと
を備えるステップを実行するための命令を備える製造品。
［Ｃ３７］
ワイヤレス通信装置であって、
データをワイヤレスデバイスに送信するための手段と、
データを前記ワイヤレスデバイスから受信するための手段と、
送信するための前記手段及び受信するための前記手段に結合された処理するための手段と
を備え、
受信するための前記手段、送信するための前記手段、及び処理するための前記手段は、
自動再送要求（ＡＲＱ）を使用して前記ワイヤレス通信装置から前記ワイヤレスデバイスへ先のフレームを送信することと、
前記ワイヤレスデバイスが、前記先のフレームの最後のスロットの前記ワイヤレスデバイスによる受信の前に正常に受信されたと前記先のフレームを肯定応答しているかどうかを判断することと、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答しているかどうかを前記ワイヤレス通信装置で判断することと
を備えるステップを実行するように構成されるワイヤレス通信装置。
［Ｃ３８］
ワイヤレス通信装置であって、
データをワイヤレスデバイスに送信するための手段と、
データを前記ワイヤレスデバイスから受信するための手段と、
送信するための前記手段及び受信するための前記手段に結合された処理するための手段と
を備え、
前記装置が、
自動再送要求（ＡＲＱ）を使用して前記ワイヤレスデバイスから送信された先のフレームを前記ワイヤレス通信装置によって受信するように、
前記先のフレームが、前記先のフレームの最後のスロットの前記ワイヤレス通信装置による受信の前に正常に受信されたかどうかを前記ワイヤレス通信装置で判断するように、
前記ワイヤレス通信装置が（１）前記先のフレームの前記最後のスロットの前記ワイヤレス通信装置による受信の前に前記先のフレームを正常に受信しないこと、及び（２）前記先のフレームの前記最後のスロットの前記ワイヤレス通信装置による受信の後に前記先のフレームを正常に受信すること、に応じて、前記ワイヤレス通信装置から前記ワイヤレスデバイスへ前記先のフレームの肯定応答を送信するように
構成されるワイヤレス通信装置。
［Ｃ３９］
ワイヤレス通信装置であって、
送信機及び受信機に結合された少なくとも１つのプロセッサを備え、前記プロセッサが、
自動再送要求（ＡＲＱ）を使用して前記ワイヤレス通信装置から前記ワイヤレスデバイスへ先のフレームを送信するように、
前記ワイヤレスデバイスが、前記先のフレームの最後のスロットの前記ワイヤレスデバイスによる受信の前に正常に受信されたと前記先のフレームを肯定応答しているかどうかを判断するように、
前記ワイヤレスデバイスが、前記先のフレームの前記最後のスロットの受信の前に前記ワイヤレスデバイスによって正常に受信されたとの前記先のフレームの肯定応答がないことに応じて、前記先のフレームの前記最後のスロットの前記ワイヤレスデバイスによる受信の後に正常に受信されたと前記先のフレームを肯定応答しているかどうかを前記ワイヤレス通信装置で判断するように
構成されるワイヤレス通信装置。
［Ｃ４０］
ワイヤレス通信装置であって、
送信機及び受信機に結合された少なくとも１つのプロセッサを備え、前記プロセッサが、
自動再送要求（ＡＲＱ）を使用して前記ワイヤレスデバイスから送信された先のフレームを前記ワイヤレス通信装置によって受信するように、
前記先のフレームが、前記先のフレームの最後のスロットの前記ワイヤレス通信装置による受信の前に正常に受信されたかどうかを前記ワイヤレス通信装置で判断するように、
前記ワイヤレス通信装置が（１）前記先のフレームの前記最後のスロットの前記ワイヤレス通信装置による受信の前に前記先のフレームを正常に受信しないこと、及び（２）前記先のフレームの前記最後のスロットの前記ワイヤレス通信装置による受信の後に前記先のフレームを正常に受信すること、に応じて、前記ワイヤレス通信装置から前記ワイヤレスデバイスへ前記先のフレームの肯定応答を送信するように
構成されるワイヤレス通信装置。
［Ｃ４１］
ワイヤレス通信装置であって、
自動再送要求（ＡＲＱ）を使用して送信機から受信機へ第１のフレーム及び第２のフレームを送信することと、前記第２のフレームは時間において前記第１のフレームに直ちに続き、
（１）前記受信機が前記第１のフレームの時間において最後のスロット以外の前記第１のフレームの全てのスロットから前記第１のフレームを復号することができないこと、及び（２）前記受信機が前記第１のフレームの前記時間において前記最後のスロットを受信した結果として前記第１のフレームを肯定応答すること、の両方に応じて、前記第２のフレームのスロットの前記受信機による受信の間、前記第１のフレームの再送を防ぐことと
を備えるワイヤレス通信方法。
【国際調査報告】
2013524690.tif 000012
2013524690.tif 000013